(57)【要約】【課題】電気部品が意図せずに動作してしまうことを防止できる遊技機を提供すること。【解決手段】シリアル／パラレル変換回路１には、該変換回路を動作させるための電源ＶＣＣが接続されるとともに、該電源ＶＣＣは、シリアル制御信号１及びクロック信号１の信号線のノイズを除去するためのノイズ除去回路１及びパラレル制御信号１、２の信号線の電圧をプルアップさせるプルアップ抵抗１に接続されており、電源ＶＣＣは、２本の電源線（ＶＣＣ１及びＶＣＣ２）を介して供給される。【選択図】図５
2018175788.tif 000002
【特許請求の範囲】
【請求項１】
遊技を行う遊技機において、
第１信号線から入力される制御信号を駆動信号に変換して第２信号線に出力する変換回路と、
前記第２信号線から入力される駆動信号に応じて、電気部品を駆動させる駆動回路と、
を備え、
前記変換回路には、該変換回路を動作させるために所定電源が接続されるとともに、該所定電源は、前記第１信号線のノイズを除去するためのノイズ除去回路及び前記第２信号線の電圧をプルアップさせるプルアップ回路に接続されており、
前記所定電源は、複数の配線を介して供給される、遊技機。
【請求項２】
遊技を行う遊技機において、
第１信号線から入力される第１制御信号を第１駆動信号に変換して第２信号線に出力する第１変換回路と、
前記第２信号線から入力される第１駆動信号に応じて、第１電気部品を駆動させる第１駆動回路と、
第３信号線から入力される第２制御信号を第２駆動信号に変換して第４信号線に出力する第２変換回路と、
前記第４信号線から入力される第２駆動信号に応じて、第２電気部品を駆動させる第２駆動回路と、
を備え、
前記第１変換回路及び前記第２変換回路には、該第１変換回路及び該第２変換回路を動作させるために所定電源が接続されるとともに、該所定電源は、前記第１信号線のノイズを除去するためのノイズ除去回路及び前記第４信号線の電圧をプルアップさせるプルアップ回路に接続されており、
前記所定電源は、複数の配線を介して供給される、遊技機。
【発明の詳細な説明】
【技術分野】
【０００１】
本発明は、パチンコ遊技機やスロットマシン等の遊技機に関する。
【背景技術】
【０００２】
この種の遊技機としては、制御基板から出力された制御信号を駆動信号に変換する変換回路を備え、駆動信号に基づいてＬＥＤ等の電気部品を駆動するようにしたものが提案されている（例えば、特許文献１参照）。
【先行技術文献】
【特許文献】
【０００３】
【特許文献１】特開２０１５−６６０１０号公報
【発明の概要】
【発明が解決しようとする課題】
【０００４】
特許文献１に記載の遊技機のように制御信号を変換回路により駆動信号に変換される構成において、例えば、変換回路に用いる電源を、制御信号のノイズを除去する回路や駆動信号を生成する回路にも用いられることが考えられるが、このような場合に、電源線の断線などにより電源の供給が停止すると、制御信号に重畳するクロック信号が制御信号線からノイズ除去回路を経由して駆動信号線に出力されてしまう虞があり、このような場合には、駆動信号が出力されていないにも関わらず、電気部品が作動してしまうこととなる。
【０００５】
本発明は、このような問題点に着目してなされたものであり、電気部品が意図せずに動作してしまうことを防止できる遊技機を提供することを目的とする。
【課題を解決するための手段】
【０００６】
上記課題を解決するために、本発明の手段１の遊技機は、
遊技を行う遊技機（スロットマシン１）において、
第１信号線（シリアル制御信号１の信号線、クロック信号１の信号線）から入力される制御信号を駆動信号に変換して第２信号線（パラレル制御信号１、２の信号線）に出力する変換回路（シリアル／パラレル変換回路１）と、
前記第２信号線から入力される駆動信号に応じて、電気部品（左側ＬＥＤ５７ｂ、右側ＬＥＤ５７ｃ）を駆動させる駆動回路（ＬＥＤ駆動回路１、２）と、
を備え、
前記変換回路には、該変換回路を動作させるために所定電源（電源ＶＣＣ）が接続されるとともに、該所定電源は、前記第１信号線のノイズを除去するためのノイズ除去回路（ノイズ除去回路１）及び前記第２信号線の電圧をプルアップさせるプルアップ回路（プルアップ抵抗１）に接続されており、
前記所定電源は、複数の配線（電源線ＶＣＣ１、ＶＣＣ２）を介して供給される
ことを特徴としている。
この特徴によれば、第１信号線から入力される制御信号を駆動信号に変換する変換回路を動作させるための所定電源が、第１信号線のノイズ除去回路及び第２信号線のプルアップ回路に接続された構成において、所定電源が複数の配線を介して入力されることで、所定電源の供給が停止し難くなるため、所定電源の供給が停止することにより、電気部品が意図せずに動作してしまうことを防止できる。
【０００７】
本発明の手段２の遊技機は、
遊技を行う遊技機（スロットマシン１）において、
第１信号線（シリアル制御信号１の信号線、クロック信号１の信号線）から入力される第１制御信号を第１駆動信号に変換して第２信号線（パラレル制御信号１、２の信号線）に出力する第１変換回路（シリアル／パラレル変換回路１）と、
前記第２信号線から入力される第１駆動信号に応じて、第１電気部品（左側ＬＥＤ５７ｂ、右側ＬＥＤ５７ｃ）を駆動させる第１駆動回路（ＬＥＤ駆動回路１、２）と、
第３信号線（シリアル制御信号２の信号線、クロック信号２の信号線）から入力される第２制御信号を第２駆動信号に変換して第４信号線（パラレル制御信号３〜６の信号線）に出力する第２変換回路（シリアル／パラレル変換回路２）と、
前記第４信号線から入力される第２駆動信号に応じて、第２電気部品（遮蔽部材動作モータ５７ａ）を駆動させる第２駆動回路（モータ駆動回路１〜４）と、
を備え、
前記第１変換回路及び前記第２変換回路には、該第１変換回路及び該第２変換回路を動作させるために所定電源（電源ＶＣＣ）が接続されるとともに、該所定電源は、前記第１信号線のノイズを除去するためのノイズ除去回路（ノイズ除去回路１）及び前記第４信号線の電圧をプルアップさせるプルアップ回路（プルアップ抵抗２）に接続されており、
前記所定電源は、複数の配線（電源線ＶＣＣ１、ＶＣＣ２）を介して供給される
ことを特徴としている。
この特徴によれば、第１信号線から入力される第１制御信号を第１駆動信号に変換する第１変換回路を動作させるための所定電源が、第１信号線のノイズ除去回路及び第４信号線のプルアップ回路に接続された構成において、所定電源が複数の配線を介して入力されることで、所定電源の供給が停止し難くなるため、所定電源の供給が停止することにより、第２電気部品が意図せずに動作してしまうことを防止できる。
【０００８】
本発明の手段３の遊技機は、手段１または２に記載の遊技機であって、
前記所定電源（電源ＶＣＣ）は、コネクタ（コネクタ５７ｅ）を介して供給されるとともに、該コネクタにおいて電源が供給される複数の端子のうち一端側の端子と他端側の端子が所定電源の供給に用いられる
ことを特徴としている。
この特徴によれば、コネクタが抜けかけていても所定電源の供給が停止し難くなる。
【０００９】
本発明の手段４の遊技機は、
遊技を行う遊技機（スロットマシン１）において、
第１信号線（シリアル制御信号１の信号線、クロック信号１の信号線）から入力される制御信号を駆動信号に変換して第２信号線（パラレル制御信号１、２の信号線）に出力する変換回路（シリアル／パラレル変換回路１）と、
前記第２信号線から入力される駆動信号に応じて、電気部品（左側ＬＥＤ５７ｂ、右側ＬＥＤ５７ｃ）を駆動させる駆動回路（ＬＥＤ駆動回路１、２）と、
を備え、
前記変換回路には、該変換回路を動作させるために所定電源（電源ＶＣＣ）が接続されるとともに、該所定電源は、前記第１信号線のノイズを除去するためのノイズ除去回路（ノイズ除去回路１）及び前記第２信号線の電圧をプルアップさせるプルアップ回路（プルアップ抵抗１）に接続されており、
前記遊技機は、前記ノイズ除去回路から前記第２信号線へ電流が流れるのを防止可能な防止手段（回込防止回路１）をさらに備える
ことを特徴としている。
この特徴によれば、第１信号線から入力される制御信号を駆動信号に変換する変換回路を動作させるための所定電源が、第１信号線のノイズ除去回路及び第２信号線のプルアップ回路に接続された構成において、ノイズ除去回路から第２信号線へ電流が流れるのを防止可能な防止手段を備え、所定電源の供給が停止しても、ノイズ除去回路から第２信号線に電流が流れてしまうことが防止されるため、電気部品が意図せずに動作してしまうことを防止できる。
【００１０】
本発明の手段５の遊技機は、
遊技を行う遊技機（スロットマシン１）において、
第１信号線（シリアル制御信号１の信号線、クロック信号１の信号線）から入力される第１制御信号を第１駆動信号に変換して第２信号線（パラレル制御信号１、２の信号線）に出力する第１変換回路（シリアル／パラレル変換回路１）と、
前記第２信号線から入力される第１駆動信号に応じて、第１電気部品（左側ＬＥＤ５７ｂ、右側ＬＥＤ５７ｃ）を駆動させる第１駆動回路（ＬＥＤ駆動回路１、２）と、
第３信号線（シリアル制御信号２の信号線、クロック信号２の信号線）から入力される第２制御信号を第２駆動信号に変換して第４信号線（パラレル制御信号３〜６の信号線）に出力する第２変換回路（シリアル／パラレル変換回路２）と、
前記第４信号線から入力される第２駆動信号に応じて、第２電気部品（遮蔽部材動作モータ５７ａ）を駆動させる第２駆動回路（モータ駆動回路１〜４）と、
を備え、
前記第１変換回路及び前記第２変換回路には、該第１変換回路及び該第２変換回路を動作させるために所定電源（電源ＶＣＣ）が接続されるとともに、該所定電源は、前記第１信号線のノイズを除去するためのノイズ除去回路（ノイズ除去回路１）及び前記第４信号線の電圧をプルアップさせるプルアップ回路（プルアップ抵抗２）に接続されており、
前記遊技機は、前記ノイズ除去回路から前記第４信号線に電流が流れるのを防止可能な防止手段（回込防止回路２）をさらに備える
ことを特徴としている。
この特徴によれば、第１信号線から入力される第１制御信号を第１駆動信号に変換する第１変換回路を動作させるための所定電源が、第１信号線のノイズ除去回路及び第４信号線のプルアップ回路に接続された構成において、ノイズ除去回路から第４信号線に電流が流れるのを防止可能な防止手段を備え、所定電源の供給が停止しても、ノイズ除去回路から第４信号線に電流が流れてしまうことが防止されるため、第２電気部品が意図せずに動作してしまうことを防止できる。
【００１１】
本発明の手段６の遊技機は、
遊技を行う遊技機（スロットマシン１）において、
第１信号線（シリアル制御信号１の信号線、クロック信号１の信号線）から入力される制御信号を駆動信号に変換して第２信号線（パラレル制御信号１、２の信号線）に出力する変換回路（シリアル／パラレル変換回路１）と、
前記第２信号線から入力される駆動信号に応じて、電気部品（左側ＬＥＤ５７ｂ、右側ＬＥＤ５７ｃ）を駆動させる駆動回路（ＬＥＤ駆動回路１、２）と、
を備え、
前記変換回路には、該変換回路を動作させるために所定電源（電源ＶＣＣ）が接続されるとともに、該所定電源は、前記第１信号線のノイズを除去するためのノイズ除去回路（ノイズ除去回路１）及び前記第２信号線の電圧をプルアップさせるプルアップ回路（プルアップ抵抗１）に接続されており、
前記遊技機は、前記所定電源の供給の有無を確認可能な確認手段（発光ダイオード５７ｆ）をさらに備える
ことを特徴としている。
この特徴によれば、第１信号線から入力される制御信号を駆動信号に変換する変換回路を動作させるための所定電源が、第１信号線のノイズ除去回路及び第２信号線のプルアップ回路に接続された構成において、所定電源の供給の有無が確認でき、所定電源の供給が停止したことを認識させることができるため、電気部品が意図せずに動作してしまうことを防止できる。
【００１２】
本発明の手段７の遊技機は、
遊技を行う遊技機（スロットマシン１）において、
第１信号線（シリアル制御信号１の信号線、クロック信号１の信号線）から入力される第１制御信号を第１駆動信号に変換して第２信号線（パラレル制御信号１、２の信号線）に出力する第１変換回路（シリアル／パラレル変換回路１）と、
前記第２信号線から入力される第１駆動信号に応じて、第１電気部品（左側ＬＥＤ５７ｂ、右側ＬＥＤ５７ｃ）を駆動させる第１駆動回路（ＬＥＤ駆動回路１、２）と、
第３信号線（シリアル制御信号２の信号線、クロック信号２の信号線）から入力される第２制御信号を第２駆動信号に変換して第４信号線（パラレル制御信号３〜６の信号線）に出力する第２変換回路（シリアル／パラレル変換回路２）と、
前記第４信号線から入力される第２駆動信号に応じて、第２電気部品（遮蔽部材動作モータ５７ａ）を駆動させる第２駆動回路（モータ駆動回路１〜４）と、
を備え、
前記第１変換回路及び前記第２変換回路には、該第１変換回路及び該第２変換回路を動作させるために所定電源（電源ＶＣＣ）が接続されるとともに、該所定電源は、前記第１信号線のノイズを除去するためのノイズ除去回路（ノイズ除去回路１）及び前記第４信号線の電圧をプルアップさせるプルアップ回路（プルアップ抵抗２）に接続されており、
前記遊技機は、前記所定電源の供給の有無を確認可能な確認手段（発光ダイオード５７ｆ）をさらに備える
ことを特徴としている。
この特徴によれば、第１信号線から入力される第１制御信号を第１駆動信号に変換する第１変換回路を動作させるための所定電源が、第１信号線のノイズ除去回路及び第４信号線のプルアップ回路に接続された構成において、所定電源の供給の有無が確認でき、所定電源の供給が停止したことを認識させることができるため、第２電気部品が意図せずに動作してしまうことを防止できる。
【００１３】
本発明の手段８の遊技機は、
遊技を行う遊技機（スロットマシン１）において、
第１信号線（シリアル制御信号１の信号線、クロック信号１の信号線）から入力される制御信号を駆動信号に変換して第２信号線（パラレル制御信号１、２の信号線）に出力する変換回路（シリアル／パラレル変換回路１）と、
前記第２信号線から入力される駆動信号に応じて、電気部品（左側ＬＥＤ５７ｂ、右側ＬＥＤ５７ｃ）を駆動させる駆動回路（ＬＥＤ駆動回路１、２）と、
を備え、
前記変換回路には、該変換回路を動作させるために所定電源（電源ＶＣＣ）が接続されるとともに、該所定電源は、前記第１信号線のノイズを除去するためのノイズ除去回路（ノイズ除去回路１）及び前記第２信号線の電圧をプルアップさせるプルアップ回路（プルアップ抵抗１）に接続されており、
前記所定電源は、前記電気部品を駆動するための駆動電源（電源ＶＤＬ）から生成される
ことを特徴としている。
この特徴によれば、第１信号線から入力される制御信号を駆動信号に変換する変換回路を動作させるための所定電源が、第１信号線のノイズ除去回路及び第２信号線のプルアップ回路に接続された構成において、所定電源が電気部品を駆動するための駆動電源から生成されるため、所定電源の供給が停止するときは電気部品の駆動電源の供給も停止するので、電気部品が意図せずに動作してしまうことを防止できる。
【００１４】
本発明の手段９の遊技機は、
遊技を行う遊技機（スロットマシン１）において、
第１信号線（シリアル制御信号１の信号線、クロック信号１の信号線）から入力される第１制御信号を第１駆動信号に変換して第２信号線（パラレル制御信号１、２の信号線）に出力する第１変換回路（シリアル／パラレル変換回路１）と、
前記第２信号線から入力される第１駆動信号に応じて、第１電気部品（左側ＬＥＤ５７ｂ、右側ＬＥＤ５７ｃ）を駆動させる第１駆動回路（ＬＥＤ駆動回路１、２）と、
第３信号線（シリアル制御信号２の信号線、クロック信号２の信号線）から入力される第２制御信号を第２駆動信号に変換して第４信号線（パラレル制御信号３〜６の信号線）に出力する第２変換回路（シリアル／パラレル変換回路１、２）と、
前記第４信号線から入力される第２駆動信号に応じて、第２電気部品（遮蔽部材動作モータ５７ａ）を駆動させる第２駆動回路（モータ駆動回路１〜４）と、
を備え、
前記第１変換回路及び前記第２変換回路には、該第１変換回路及び該第２変換回路を動作させるために所定電源（電源ＶＣＣ）が接続されるとともに、該所定電源は、前記第１信号線のノイズを除去するためのノイズ除去回路（ノイズ除去回路１）及び前記第４信号線の電圧をプルアップさせるプルアップ回路（プルアップ抵抗２）に接続されており、
前記所定電源は、前記第２電気部品を駆動するための駆動電源（電源ＶＤＬ）から生成される
ことを特徴としている。
この特徴によれば、第１信号線から入力される第１制御信号を第１駆動信号に変換する第１変換回路を動作させるための所定電源が、第１信号線のノイズ除去回路及び第４信号線のプルアップ回路に接続された構成において、所定電源が第２電気部品を駆動するための駆動電源から生成されるため、所定電源の供給が停止するときは第２電気部品の駆動電源の供給も停止するので、第２電気部品が意図せずに動作してしまうことを防止できる。
【００１５】
尚、本発明は、本発明の請求項に記載された発明特定事項のみを有するものであって良いし、本発明の請求項に記載された発明特定事項とともに該発明特定事項以外の構成を有するものであっても良い。
【図面の簡単な説明】
【００１６】
【図１】本発明が適用された実施例のスロットマシンの正面図である。
【図２】スロットマシンの内部構造を示す斜視図である。
【図３】スロットマシンの構成を示すブロック図である。
【図４】遮蔽部材の動作態様について説明するための図である。
【図５】遮蔽ユニット制御基板の回路構成を説明するための図である。
【図６】実施例２における遮蔽ユニット制御基板の回路構成を説明するための図である。
【図７】実施例３における遮蔽ユニット制御基板の回路構成を説明するための図である。
【図８】実施例４における遮蔽ユニット制御基板の回路構成を説明するための図である。
【発明を実施するための形態】
【００１７】
本発明に係る遊技機を実施するための形態を実施例に基づいて以下に説明する。
【実施例１】
【００１８】
本発明が適用された遊技機であるスロットマシンの実施例１について図面を用いて説明すると、本実施例のスロットマシン１は、図１に示すように、前面が開口する筐体１ａと、この筐体１ａの側端に回動自在に枢支された前面扉１ｂと、から構成されている。
【００１９】
本実施例のスロットマシン１の筐体１ａの内部には、図２に示すように、外周に複数種の図柄が配列されたリール２Ｌ、２Ｃ、２Ｒ（以下、左リール、中リール、右リール）が水平方向に並設されており、図１に示すように、これらリール２Ｌ、２Ｃ、２Ｒに配列された図柄のうち連続する３つの図柄が前面扉１ｂに設けられた透視窓３から見えるように配置されている。
【００２０】
リール２Ｌ、２Ｃ、２Ｒの外周部には、互いに識別可能な複数種類の図柄（例えば、「７」、「ＢＡＲ」、「スイカ」、「チェリー」、「ベル」、「リプレイ」等）が所定の順序で、それぞれ２０個ずつ描かれている。リール２Ｌ、２Ｃ、２Ｒの外周部に描かれた図柄は、前面扉１ｂの略中央に設けられた透視窓３において各々上中下三段に表示される。
【００２１】
各リール２Ｌ、２Ｃ、２Ｒは、各々対応して設けられたリールモータ３２Ｌ、３２Ｃ、３２Ｒ（図３参照）によって回転されることで、各リール２Ｌ、２Ｃ、２Ｒの図柄が透視窓３に連続的に変化しつつ表示される一方で、各リール２Ｌ、２Ｃ、２Ｒの回転が停止されることで、透視窓３に３つの連続する図柄が表示結果として導出表示されるようになっている。
【００２２】
尚、本実施例のリール２Ｌ、２Ｃ、２Ｒは、リールモータ３２Ｌ、３２Ｃ、３２Ｒを用いて、外周面に複数の図柄が配置されたリール２Ｌ、２Ｃ、２Ｒを回転させることで、遊技者から視認可能な複数の図柄を移動させる変動表示を行うことが可能な構成であるが、複数の図柄を移動させる変動表示を行う手段は、リール以外であっても良く、例えば、外周面に複数の図柄が配置されたベルトを移動させることで変動表示を行うことが可能な構成等であっても良い。
【００２３】
リール２Ｌ、２Ｃ、２Ｒの内側には、リール２Ｌ、２Ｃ、２Ｒそれぞれに対して、基準位置を検出するリールセンサ３３Ｌ、３３Ｃ、３３Ｒと、リール２Ｌ、２Ｃ、２Ｒを背面から照射するリールＬＥＤ５５と、が設けられている。また、リールＬＥＤ５５は、リール２Ｌ、２Ｃ、２Ｒの連続する３つの図柄に対応する１２のＬＥＤからなり、各図柄をそれぞれ独立して照射可能とされている。
【００２４】
また、リールセンサ３３Ｌ、３３Ｃ、３３Ｒは、各リール２Ｌ、２Ｃ、２Ｒについて図柄番号１の図柄の領域の下端が各リールにおける所定位置を通過するときに、検出信号を出力するように配置されており、各リールについて図柄番号１の図柄の領域の下端がリール基準位置となる。
【００２５】
前面扉１ｂの各リール２Ｌ、２Ｃ、２Ｒの手前側（遊技者側）の位置には、液晶表示器５１（図１参照）の表示領域５１ａが配置されている。液晶表示器５１は、液晶素子に対して電圧が印加されていない状態で透過性を有する液晶パネルを有しており、表示領域５１ａの透視窓３に対応する透過領域５１ｂ及び透視窓３を介して遊技者側から各リール２Ｌ、２Ｃ、２Ｒが視認できるようになっている。
【００２６】
前面扉１ｂには、図１に示すように、メダルを投入可能なメダル投入部４、メダルが払い出されるメダル払出口９、クレジット（遊技者所有の遊技用価値として記憶されているメダル数）を用いて、その範囲内において遊技状態に応じて定められた規定数の賭数のうち最大の賭数を設定する際に操作されるＭＡＸＢＥＴスイッチ６、クレジットとして記憶されているメダル及び賭数の設定に用いたメダルを精算する（クレジット及び賭数の設定に用いた分のメダルを返却させる）際に操作される精算スイッチ１０、ゲームを開始する際に操作されるスタートスイッチ７、リール２Ｌ、２Ｃ、２Ｒの回転を各々停止する際に操作されるストップスイッチ８Ｌ、８Ｃ、８Ｒ、演出に用いられる演出用スイッチ５６が遊技者により操作可能にそれぞれ設けられている。
【００２７】
また、前面扉１ｂには、図１に示すように、クレジットとして記憶されているメダル枚数が表示されるクレジット表示器１１、入賞の発生により払い出されたメダル枚数やエラー発生時にその内容を示すエラーコード等が表示される遊技補助表示器１２、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト（前回のゲーム開始から一定期間経過していないためにリールの回転開始を待機している状態）中である旨を点灯により報知するウェイト中ＬＥＤ１９、リプレイゲーム中である旨を点灯により報知するリプレイ中ＬＥＤ２０が設けられた遊技用表示部１３が設けられている。
【００２８】
ＭＡＸＢＥＴスイッチ６の内部には、ＭＡＸＢＥＴスイッチ６の操作による賭数の設定操作が有効である旨を点灯により報知するＢＥＴスイッチ有効ＬＥＤ２１（図３参照）が設けられており、ストップスイッチ８Ｌ、８Ｃ、８Ｒの内部には、該当するストップスイッチ８Ｌ、８Ｃ、８Ｒによるリールの停止操作が有効である旨を点灯により報知する左、中、右停止有効ＬＥＤ２２Ｌ、２２Ｃ、２２Ｒ（図３参照）がそれぞれ設けられており、演出用スイッチ５６の内部には、演出用スイッチ５６の操作が有効である旨を点灯により報知する演出用ＬＥＤ５６ａ（図３参照）が設けられている。
【００２９】
前面扉１ｂの内側には、図２に示すように、所定のキー操作により前面扉１ｂを開放することなくエラー状態及び打止状態を解除するためのリセット操作を検出するリセットスイッチ２３、後述する設定値の変更中や設定値の確認中にその時点の設定値が表示される設定値表示器２４、所定の契機に打止状態（リセット操作がなされるまでゲームの進行が規制される状態）に制御する打止機能の有効／無効を選択するための打止スイッチ３６ａ、所定の契機に自動精算処理（クレジットとして記憶されているメダルを遊技者の操作によらず精算（返却）する処理）に制御する自動精算機能の有効／無効を選択するための自動精算スイッチ３６ｂ、メダル投入部４から投入されたメダルの流路を、筐体１ａの内部に設けられた後述のホッパータンク３４ａ（図２参照）側またはメダル払出口９側のいずれか一方に選択的に切り替えるための流路切替ソレノイド３０、メダル投入部４から投入され、ホッパータンク３４ａ側に流下したメダルを検出する投入メダルセンサ３１、投入メダルセンサ３１の上流側で異物の挿入を検出する投入口センサ２６を有するメダルセレクタ２９、前面扉１ｂの開放状態を検出するドア開放検出スイッチ２５（図３参照）が設けられている。
【００３０】
筐体１ａの内部には、図２に示すように、前述したリール２Ｌ、２Ｃ、２Ｒ、リールモータ３２Ｌ、３２Ｃ、３２Ｒ（図３参照）、各リール２Ｌ、２Ｃ、２Ｒのリール基準位置をそれぞれ検出可能なリールセンサ３３Ｌ、３３Ｃ、３３Ｒ（図３参照）からなるリールユニット２、外部出力信号を出力するための外部出力基板１０００（図３参照）、メダル投入部４から投入されたメダルを貯留するホッパータンク３４ａ、ホッパータンク３４ａに貯留されたメダルをメダル払出口９より払い出すためのホッパーモータ３４ｂ（図３参照）、ホッパーモータ３４ｂの駆動により払い出されたメダルを検出する払出センサ３４ｃ（図３参照）からなるホッパーユニット３４、電源ボックス１００が設けられている。
【００３１】
ホッパーユニット３４の側部には、ホッパータンク３４ａからあふれたメダルが貯留されるオーバーフロータンク３５が設けられている。オーバーフロータンク３５の内部には、貯留されたメダルが満タン状態となったことを検出する満タンセンサ３５ａ（図３参照）が設けられている。
【００３２】
電源ボックス１００の前面には、図２に示すように、設定変更状態または設定確認状態に切り替えるための設定キースイッチ３７、通常時においてはエラー状態や打止状態を解除するためのリセットスイッチとして機能し、設定変更状態においては後述する内部抽選の当選確率（出玉率）の設定値を変更するための設定スイッチとして機能するリセット／設定スイッチ３８、電源をｏｎ／ｏｆｆする際に操作される電源スイッチ３９が設けられている。
【００３３】
尚、電源ボックス１００は、筐体１ａの内部に設けられており、さらに前面扉１ｂは、店員等が所持する所定のキー操作により開放可能な構成であるため、これら電源ボックス１００の前面に設けられた設定キースイッチ３７、リセット／設定スイッチ３８、電源スイッチ３９は、キーを所持する店員等の者のみが操作可能とされ、遊技者による操作ができないようになっている。また、所定のキー操作により検出されるリセットスイッチ２３も同様である。特に、設定キースイッチ３７は、キー操作により前面扉１ｂを開放したうえで、さらにキー操作を要することから、遊技場の店員のなかでも、設定キースイッチ３７の操作を行うキーを所持する店員のみ操作が可能とされている。
【００３４】
本実施例のスロットマシン１においてゲームを行う場合には、まず、メダルをメダル投入部４から投入するか、あるいはクレジットを使用して賭数を設定する。クレジットを使用するにはＭＡＸＢＥＴスイッチ６を操作すれば良い。遊技状態に応じて定められた規定数の賭数が設定されると、入賞ラインＬＮ（図１参照）が有効となり、スタートスイッチ７の操作が有効な状態、すなわち、ゲームが開始可能な状態となる。尚、遊技状態に対応する規定数のうち最大数を超えてメダルが投入された場合には、その分はクレジットに加算される。
【００３５】
入賞ラインとは、各リール２Ｌ、２Ｃ、２Ｒの透視窓３に表示された図柄の組合せが入賞図柄の組合せであるかを判定するために設定されるラインである。本実施例では、図１に示すように、リール２Ｌの中段、リール２Ｃの中段、リール２Ｒの中段、すなわち中段に水平方向に並んだ図柄に跨がって設定された入賞ラインＬＮのみが入賞ラインとして定められている。尚、本実施例では、１本の入賞ラインのみを適用しているが、複数の入賞ラインを適用しても良い。
【００３６】
また、本実施例では、入賞ラインＬＮに入賞を構成する図柄の組合せが揃ったことを認識しやすくするために、入賞ラインＬＮとは別に、無効ラインＬＭ１〜４（ＬＭ１は、左中右リールの各上段にわたるラインであり、ＬＭ２は、左中右リールの各中段にわたるラインであり、ＬＭ３は、左中右リールの各下段にわたるラインであり、ＬＭ４は、左リールの下段、中リールの中段、右リールの上段にわたるラインである。）を設定している。無効ラインＬＭ１〜４は、これら無効ラインＬＭ１〜４に揃った図柄の組合せによって入賞が判定されるものではなく、入賞ラインＬＮに特定の入賞を構成する図柄の組合せが揃った際に、無効ラインＬＭ１〜４のいずれかに入賞ラインＬＮに揃った場合に入賞となる図柄の組合せ（例えば、ベル‐ベル‐ベル）が揃う構成とすることで、入賞ラインＬＮに特定の入賞を構成する図柄の組合せが揃ったことを認識しやすくするものである。
【００３７】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、透視窓３に表示結果が導出表示される。
【００３８】
そして全てのリール２Ｌ、２Ｃ、２Ｒが停止されることで１ゲームが終了し、入賞ラインＬＮ上に予め定められた図柄の組合せ（以下、役ともいう）が各リール２Ｌ、２Ｃ、２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９（図１参照）から払い出されるようになっている。また、入賞ラインＬＮ上に、遊技状態の移行を伴う図柄の組合せが各リール２Ｌ、２Ｃ、２Ｒの表示結果として停止した場合には図柄の組合せに応じた遊技状態に移行するようになっている。
【００３９】
尚、本実施例では、スタートスイッチ７の操作が有効な状態でスタートスイッチ７の操作が検出されたときにゲームが開始し、全てのリールが停止したときにゲームが終了する。また、ゲームを実行するための１単位の制御（ゲーム制御）は、前回のゲームの終了に伴う全ての制御が完了したときに開始し、当該ゲームの終了に伴う全ての制御が完了したときに終了する。
【００４０】
また、本実施例では、３つのリールを用いた構成を例示しているが、リールを１つのみ用いた構成、２つのリールを用いた構成、４つ以上のリールを用いた構成としても良く、２以上のリールを用いた構成においては、２以上の全てのリールに導出された表示結果の組合せに基づいて入賞を判定する構成とすれば良い。また、本実施例では、物理的なリールにて可変表示装置が構成されているが、液晶表示器などの画像表示装置にて可変表示装置が構成されていても良い。
【００４１】
図３は、スロットマシン１の構成を示すブロック図である。スロットマシン１には、図３に示すように、遊技制御基板４０、演出制御基板９０、電源基板１０１が設けられており、遊技制御基板４０によって遊技の制御が行われ、演出制御基板９０によって遊技状態に応じた演出の制御が行われ、電源基板１０１によってスロットマシン１を構成する電気部品の駆動電源が生成され、各部に供給される。
【００４２】
電源基板１０１には、外部からＡＣ１００Ｖの電源が供給されるとともに、このＡＣ１００Ｖの電源からスロットマシン１を構成する電気部品の駆動に必要な直流電圧が生成され、遊技制御基板４０及び演出制御基板９０に供給されるようになっている。また、電源基板１０１には、前述したホッパーモータ３４ｂ、払出センサ３４ｃ、満タンセンサ３５ａ、設定キースイッチ３７、リセット／設定スイッチ３８、電源スイッチ３９が接続されている。
【００４３】
遊技制御基板４０には、前述したＭＡＸＢＥＴスイッチ６、スタートスイッチ７、ストップスイッチ８Ｌ、８Ｃ、８Ｒ、精算スイッチ１０、リセットスイッチ２３、打止スイッチ３６ａ、自動精算スイッチ３６ｂ、投入メダルセンサ３１、ドア開放検出スイッチ２５、リールセンサ３３Ｌ、３３Ｃ、３３Ｒが接続されているとともに、電源基板１０１を介して前述した払出センサ３４ｃ、満タンセンサ３５ａ、設定キースイッチ３７、リセット／設定スイッチ３８が接続されており、これら接続されたスイッチ類の検出信号が入力されるようになっている。また、遊技制御基板４０には、前述したクレジット表示器１１、遊技補助表示器１２、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ、２２Ｃ、２２Ｒ、設定値表示器２４、流路切替ソレノイド３０、リールモータ３２Ｌ、３２Ｃ、３２Ｒが接続されているとともに、電源基板１０１を介して前述したホッパーモータ３４ｂが接続されており、これら電気部品は、遊技制御基板４０に搭載されたメイン制御部４１の制御に基づいて駆動されるようになっている。
【００４４】
遊技制御基板４０には、メインＣＰＵ４１ａ、ＲＯＭ４１ｂ、ＲＡＭ４１ｃ、Ｉ／Ｏポート４１ｄを備えたマイクロコンピュータにより構成され、内部抽選用の乱数を生成する乱数回路等を備えており、遊技の進行に関する処理を行うとともに遊技制御基板４０に搭載された制御回路の各部を直接的または間接的に制御するメイン制御部４１と、遊技制御基板４０に直接または電源基板１０１を介して接続されたスイッチ類から入力された検出信号を取り込んでメイン制御部４１に伝送するスイッチ検出回路４４と、メイン制御部４１から出力されたモータ駆動信号（ステッピングモータの位相信号）をリールモータ３２Ｌ、３２Ｃ、３２Ｒに伝送するモータ駆動回路４５と、メイン制御部４１から出力されたソレノイド駆動信号を流路切替ソレノイド３０に伝送するソレノイド駆動回路４６と、メイン制御部４１から出力されたＬＥＤ駆動信号を遊技制御基板４０に接続された各種表示器やＬＥＤに伝送するＬＥＤ駆動回路４７と、スロットマシン１に供給される電源の電圧を監視して電圧の低下を検出したときに、その旨を示す電圧低下信号をメイン制御部４１に対して出力する電断検出回路４８と、電源投入時または電源遮断時等の電力供給が不安定な状態においてメイン制御部４１にシステムリセット信号を与えるリセット回路４９と、が搭載されている。
【００４５】
メイン制御部４１は、サブ制御部９１に各種のコマンドを送信する。メイン制御部４１からサブ制御部９１へ送信されるコマンドは一方向のみで送られ、サブ制御部９１からメイン制御部４１へ向けてコマンドが送られることはない。
【００４６】
演出制御基板９０には、演出用スイッチ５６が接続されており、この演出用スイッチ５６の検出信号が入力されるようになっている。また、液晶表示器５１、演出効果ＬＥＤ５２、スピーカ５３、５４、リールＬＥＤ５５、遮蔽ユニット５７等の演出装置が接続されており、これら演出装置は、演出制御基板９０に搭載されたサブ制御部９１による制御に基づいて駆動されるようになっている。尚、本実施例では、演出制御基板９０に搭載されたサブ制御部９１により、液晶表示器５１、演出効果ＬＥＤ５２、スピーカ５３、５４、リールＬＥＤ５５、遮蔽ユニット５７等の演出装置の出力制御が行われる構成であるが、サブ制御部９１とは別に演出装置の出力制御を直接的に行う出力制御部を演出制御基板９０または他の基板に搭載し、サブ制御部９１がメイン制御部４１からのコマンドに基づいて演出装置の出力パターンを決定し、サブ制御部９１が決定した出力パターンに基づいて出力制御部が演出装置の出力制御を行う構成としても良く、このような構成では、サブ制御部９１及び出力制御部の双方によって演出装置の出力制御が行われることとなる。また、本実施例では、演出装置として液晶表示器５１、演出効果ＬＥＤ５２、スピーカ５３、５４、リールＬＥＤ５５を例示しているが、演出装置は、これらに限られず、例えば、機械的に駆動する表示装置や機械的に駆動する役モノなどを演出装置として適用しても良い。
【００４７】
演出制御基板９０は、サブＣＰＵ９１ａ、ＲＯＭ９１ｂ、ＲＡＭ９１ｃ、Ｉ／Ｏポート９１ｄを備えたマイクロコンピュータにより構成されて演出の制御を行うサブ制御部９１と、演出制御基板９０に接続された液晶表示器５１の表示制御を行う表示制御回路９２と、演出効果ＬＥＤ５２と、リールＬＥＤ５５の駆動制御を行うＬＥＤ駆動回路９３と、スピーカ５３、５４からの音声出力制御を行う音声出力回路９４と、電源投入時またはサブＣＰＵ９１ａからの初期化命令が一定時間入力されないときにサブＣＰＵ９１ａにリセット信号を与えるリセット回路９５と、演出制御基板９０に接続されたスイッチ類から入力された検出信号を検出するスイッチ検出回路９６と、日付情報及び時刻情報を含む時間情報を出力する時計装置９７と、スロットマシン１に供給される電源電圧を監視し、電圧低下を検出したときに、その旨を示す電圧低下信号をサブＣＰＵ９１ａに対して出力する電断検出回路９８と、その他の回路等、が搭載されている。
【００４８】
サブ制御部９１は、遊技制御基板４０から送信されるコマンドを受けて、演出を行うための各種の制御を行うとともに、演出制御基板９０に搭載された制御回路の各部を直接的または間接的に制御する。
【００４９】
遮蔽ユニット５７は、液晶表示器５１の前面側の左側を遊技者から視認不能に遮蔽可能な遮蔽部材５７Ｌと、液晶表示器５１の前面側の右側を遊技者から視認不能に遮蔽可能な遮蔽部材５７Ｒと、これら遮蔽部材５７Ｌ、５７Ｒを、液晶表示器５１の前面側を遊技者から視認可能な非遮蔽状態とする非遮蔽位置（図４（ａ参照））と、液晶表示器５１の前面側を遊技者から視認不可能な遮蔽状態とする遮蔽位置（図４（ｂ）参照）とに動作させるための遮蔽部材動作モータ５７ａ、主に遮蔽部材５７Ｌに配置されて複数のＬＥＤで構成される左側ＬＥＤ５７ｂ、主に遮蔽部材５７Ｒに配置されて複数のＬＥＤで構成される右側ＬＥＤ５７ｃ、これら遮蔽部材動作モータ５７ａ、左側ＬＥＤ５７ｂ、右側ＬＥＤ５７ｃを駆動制御するための回路が搭載されている遮蔽ユニット制御基板５７ｄ等により構成される。
【００５０】
遮蔽部材動作モータ５７ａは、ステッピングモータにより構成されており、サブ制御部９１により出力された制御信号（ステッピングモータの位相信号）に基づいて、ステッピングモータの各励磁相が所定順序で励磁されることで、制御信号に応じた所定の駆動態様で駆動制御される。サブ制御部９１は、遮蔽ユニット制御基板５７ｄに対して制御信としてシリアル制御信号２を出力することで、遮蔽部材動作モータ５７ａを所定態様で駆動させて遮蔽部材５７Ｌ、５７Ｒを非遮蔽位置と遮蔽位置とに移動させることが可能となっている。
【００５１】
また、左側ＬＥＤ５７ｂ及び右側ＬＥＤ５７ｃは、サブ制御部９１により出力された制御信号に基づいて、複数のＬＥＤのうちの所定のＬＥＤが点灯状態及び非点灯状態に制御されることで、制御信号に応じた所定の点灯態様に制御される。サブ制御部９１は、遮蔽ユニット制御基板５７ｄに対して制御信号としてシリアル制御信号１を出力することで、左側ＬＥＤ５７ｂ、右側ＬＥＤ５７ｃを所定の点灯態様に制御することが可能となっている。
【００５２】
次に、本実施例に遮蔽ユニット５７の遮蔽ユニット制御基板５７ｄの回路構成について、図５に基づいて説明する。
【００５３】
演出制御基板９０には、遮蔽ユニット制御基板５７ｄが接続されており、当該遮蔽ユニット制御基板５７ｄには、遮蔽部材動作モータ５７ａ、左側ＬＥＤ５７ｂ、右側ＬＥＤ５７ｃが接続されている。演出制御基板９０に搭載されているサブ制御部９１は、遮蔽ユニット制御基板５７ｄに対して、遮蔽部材動作モータ５７ａの励磁態様や左側ＬＥＤ５７ｂ、右側ＬＥＤ５７ｃの点灯態様を制御するための制御信号を送信することで、遮蔽ユニット制御基板５７ｄを介して、遮蔽部材動作モータ５７ａ、左側ＬＥＤ５７ｂ、右側ＬＥＤ５７ｃを制御信号に応じた所定態様で作動させることができるようになっている。
【００５４】
サブ制御部９１が遮蔽ユニット制御基板５７ｄに対して送信する制御信号には、左側ＬＥＤ５７ｂ及び右側ＬＥＤ５７ｃの点灯態様を制御するためのシリアル制御信号１、遮蔽部材動作モータ５７ａの励磁態様を制御するためのシリアル制御信号２、シリアル制御信号１を伝送するためのクロック信号１、シリアル制御信号２を伝送するためのクロック信号２、が少なくとも含まれ、演出制御基板９０から各信号を伝送するための信号線がコネクタを介して遮蔽ユニット制御基板５７ｄに接続されている。また、これらのシリアル制御信号及びクロック信号は、演出制御基板９０側で供給される電圧により演出制御基板９０から遮蔽ユニット制御基板５７ｄに対して送信されるようになっており、後述するように遮蔽ユニット制御基板５７ｄで電源ＶＣＣが接続されているか否かに関わらず、シリアル制御信号の信号線及びクロック信号の信号線には、演出制御基板９０からの該信号の出力状態に応じた電圧が供給されることとなる。
【００５５】
また、遮蔽ユニット制御基板５７ｄには、電源基板１０１から複数の電源線を介して電源が供給されるようになっており、当該電源線には、遮蔽ユニット制御基板５７ｄに搭載された各回路等を作動させる電源ＶＣＣ（５Ｖ）を供給する電源線（以下、電源線ＶＣＣと呼ぶ場合がある。）、遮蔽部材動作モータ５７ａ、左側ＬＥＤ５７ｂ、右側ＬＥＤ５７ｃ等を動作させるために用いられる電源ＶＤＬ（１２Ｖ）を供給する電源線（以下、電源線ＶＤＬと呼ぶ場合がある。）、その他回路や電子部品等（図示略）に用いられる電源ＶＳＬの電源線（以下、電源線ＶＳＬと呼ぶ場合がある。）が少なくとも含まれ、各電源を供給する電源線がコネクタを介して遮蔽ユニット制御基板５７ｄに接続されている。
【００５６】
また、遮蔽ユニット制御基板５７ｄに電源を供給する電源線のうち電源線ＶＣＣは、遮蔽ユニット制御基板５７ｄに接続される前に２つの電源線ＶＣＣ１、ＶＣＣ２に分岐され、遮蔽ユニット制御基板５７ｄに接続されるようになっている。
【００５７】
尚、本実施例では、遮蔽ユニット制御基板５７ｄのブロック図等において接地（グランド）についての記載を省略するが、適宜接地が行われるようになっている。
【００５８】
図５に示すように、遮蔽ユニット制御基板５７ｄには、サブ制御部９１から送信される制御信号の信号線及び電源の電源線が接続されるコネクタ５７ｅが搭載されている。当該コネクタ５７ｅは複数の端子を備え、一端側の端子群には、シリアル制御信号１の信号線、シリアル制御信号２の信号線、クロック信号１の信号線、クロック信号２の信号線がそれぞれ接続され、他端側の端子群には、電源線ＶＣＣ１、電源線ＶＣＣ２、電源線ＶＤＬ、電源線ＶＳＬがそれぞれ接続されている。
【００５９】
また、コネクタ５７eにおける電源線が接続される端子群の各端子には、該コネクタ５７eの信号線側の端子から順に、電源線ＶＣＣ１、ＶＳＬ、ＶＤＬ、ＶＣＣ２の順で各電源線がそれぞれ接続されており、電源線の端子群の両端に電源線ＶＣＣ１、ＶＣＣ２が接続されるようになっている。すなわち、電源線ＶＣＣ１は、コネクタ５７eの電源線の端子群のうちの一端側の端子に接続される一方で、電源線ＶＣＣ２は、コネクタ５７eの電源線の端子群のうち電源線ＶＣＣ２が接続される端子とは反対の一端側の端子に接続されるようになっている。
【００６０】
コネクタ５７eの異なる端子にそれぞれ接続された電源線ＶＣＣ１及びＶＣＣ２は、遮蔽ユニット制御基板５７ｄ上において接続され、電源線ＶＣＣに統合された後、遮蔽ユニット制御基板５７ｄ上の各種回路や素子、例えば、後述のシリアル／パラレル変換回路１、２やプルアップ抵抗１、２等に接続される。また、統合された電源線ＶＣＣには、コネクタ５７ｅ側から各種回路等側へ電流が流れるように発光ダイオード５７ｆが接続されている。当該発光ダイオード５７ｆは、コネクタ５７eに電源線ＶＣＣ１または電源線ＶＣＣ２の少なくとも一方が接続され、遮蔽ユニット制御基板５７ｄ上の各種回路に電源ＶＣＣが供給される状態であるときに発光する一方、コネクタ５７eに電源線ＶＣＣ１及び電源線ＶＣＣ２のいずれも接続されておらず、遮蔽ユニット制御基板５７ｄ上の各種回路に電源ＶＣＣが供給されない状態であるときに発光しないようになっており、当該発光ダイオード５７ｆの発光状態に基づいて遮蔽ユニット制御基板５７ｄに電源ＶＣＣが供給されているか否かを視認できるようになっている。
【００６１】
遮蔽ユニット制御基板５７ｄには、コネクタ５７ｅを介して受信されたシリアル制御信号１及びクロック信号１を左側ＬＥＤ５７ｂの点灯態様を制御するためのパラレル制御信号１及び右側ＬＥＤ５７ｃの点灯態様を制御するためのパラレル制御信号２に変換するシリアル／パラレル変換回路１、パラレル制御信号１に基づいて左側ＬＥＤ５７ｂを駆動させる駆動信号１を出力するＬＥＤ駆動回路１、パラレル制御信号２に基づいて右側ＬＥＤ５７ｃを駆動させる駆動信号２を出力するＬＥＤ駆動回路２、コネクタ５７ｅを介して受信されたシリアル制御信号２を、遮蔽部材動作モータ５７ａの各励磁相の励磁態様を制御するためのパラレル制御信号３〜６に変換するシリアル／パラレル変換回路２、パラレル制御信号３〜６に基づいて遮蔽部材動作モータ５７ａの各励磁相を励磁する励磁信号１〜４を出力して該遮蔽部材動作モータ５７ａを駆動させるモータ駆動回路１〜４、パラレル制御信号１〜６の各信号線におけるＨｉｇｈ信号及びＬｏｗ信号を的確に伝達可能とするように該信号線を所定電圧（電源ＶＣＣ（５Ｖ）以下の電圧）にプルアップするためのプルアップ抵抗１、２、コネクタ５７e等を介して回路外部から侵入する静電気等による電気的ノイズを電源側に放出して除去するためのノイズ除去回路１、２を含む各種回路や素子等が搭載されている。
【００６２】
遮蔽ユニット制御基板５７ｄにおいて、コネクタ５７ｅを介して接続される制御信号の信号線のうちシリアル制御信号１の信号線及びクロック信号１の信号線は、シリアル／パラレル変換回路１に接続される。また、当該シリアル／パラレル変換回路１から出力されるパラレル制御信号１の信号線は、ＬＥＤ駆動回路１に接続される。そして、当該ＬＥＤ駆動回路１から出力される駆動信号１の信号線は、左側ＬＥＤ５７ｂに接続される。また、シリアル／パラレル変換回路１から出力されるパラレル制御信号２の信号線は、ＬＥＤ駆動回路２に接続されて、当該ＬＥＤ駆動回路２から出力される駆動信号２の信号線は、右側ＬＥＤ５７ｃに接続される。
【００６３】
また、シリアル／パラレル変換回路１は、シリアル制御信号１、クロック信号１、パラレル制御信号１、パラレル制御信号２の各信号線が接続されるとともに、電源線ＶＣＣが接続されており、電源ＶＣＣが供給されている場合に、正常に機能を発揮できる状態となり、シリアル制御信号１及びクロック信号１を、パラレル制御信号１及びパラレル制御信号２に変換して、これらのパラレル制御信号１、２をＬＥＤ駆動回路１、２に対して出力可能である。尚、電源ＶＣＣが供給されていない場合には、シリアル／パラレル変換回路１は、作動せず停止した状態となり、パラレル制御信号１及びパラレル制御信号２を出力できない。
【００６４】
また、左側ＬＥＤ５７ｂは、ＬＥＤ駆動回路１から出力される駆動信号１の信号線が接続されるとともに、電源ＶＤＬが接続されており、左側ＬＥＤ５７ｂを点灯させる旨の駆動信号１が入力されることで、電源ＶＤＬを用いて左側ＬＥＤ５７ｂが点灯されるようになっている。また、右側ＬＥＤ５７ｃには、ＬＥＤ駆動回路２から出力される駆動信号２の信号線が接続されるとともに、電源ＶＤＬが接続されており、右側ＬＥＤ５７ｃを点灯させる旨の駆動信号２が入力されることで、電源ＶＤＬを用いて右側ＬＥＤ５７ｃが点灯されるようになっている。
【００６５】
また、パラレル制御信号１の信号線及びパラレル制御信号２の信号線は、プルアップ抵抗１を介して電源線ＶＣＣと接続される。これにより、電源ＶＣＣが供給されている場合に、パラレル制御信号１、パラレル制御信号２の各信号線は、所定電圧にプルアップされるようになっている。
【００６６】
また、シリアル制御信号１の信号線及びクロック信号１の信号線は、ノイズ除去回路１を介して電源線ＶＣＣに接続される。ノイズ除去回路１は、複数のダイオードにより構成され、シリアル制御信号１の信号線及びクロック信号１の信号線側から電源線ＶＣＣ側に向けて電流が流れることが可能となるようにダイオードが接続されている。遮蔽ユニット制御基板５７ｄに正常に電源ＶＣＣが供給されている場合に、ノイズ除去回路１では、シリアル制御信号１の信号線及びクロック信号１の信号線の電圧が電源線ＶＣＣ側の電圧よりも高まるようなノイズが生じたときに、シリアル制御信号１の信号線及びクロック信号１の信号線から電源線ＶＣＣ側に電流が流れることで、シリアル制御信号１の信号線及びクロック信号１の信号線に生じたノイズが電源ＶＣＣ側に放出されて除去されるようになっている。
【００６７】
遮蔽ユニット制御基板５７ｄにおいて、コネクタ５７ｅを介して接続される制御信号の信号線のうちシリアル制御信号２の信号線及びクロック信号２の信号線は、シリアル／パラレル変換回路２に接続される。また、当該シリアル／パラレル変換回路２から出力されるパラレル制御信号３の信号線は、モータ駆動回路１に接続され、シリアル／パラレル変換回路２から出力されるパラレル制御信号４の信号線は、モータ駆動回路２に接続され、シリアル／パラレル変換回路２から出力されるパラレル制御信号５の信号線は、モータ駆動回路３に接続され、シリアル／パラレル変換回路２から出力されるパラレル制御信号６の信号線は、モータ駆動回路４に接続される。そして、モータ駆動回路１から出力される励磁信号１の信号線は、遮蔽部材動作モータ５７ａの励磁相の第１相に接続され、モータ駆動回路２から出力される励磁信号２の信号線は、遮蔽部材動作モータ５７ａの励磁相の第２相に接続され、モータ駆動回路３から出力される励磁信号３の信号線は、遮蔽部材動作モータ５７ａの励磁相の第３相に接続され、モータ駆動回路４から出力される励磁信号４の信号線は、遮蔽部材動作モータ５７ａの励磁相の第４相に接続される。
【００６８】
また、シリアル／パラレル変換回路２は、シリアル制御信号２、クロック信号２、パラレル制御信号３〜６の各信号線が接続されるとともに、電源線ＶＣＣが接続されており、電源ＶＣＣが供給されている場合に、正常に機能を発揮できる状態となり、シリアル制御信号２及びクロック信号２を、パラレル制御信号３〜６に変換して、これらのパラレル制御信号３〜６をモータ駆動回路１〜４対して出力可能である。尚、電源ＶＣＣが供給されていない場合には、シリアル／パラレル変換回路２は、作動せず停止した状態となり、パラレル制御信号３〜６を出力できない。
【００６９】
また、遮蔽部材動作モータ５７ａの第１相〜第４相の各励磁相には、それぞれ励磁信号１〜４の信号線が接続されるとともに、電源ＶＤＬが接続されており、各励磁相に対して励磁する旨の励磁信号１〜４が入力されることで、該当する励磁相が電源ＶＤＬを用いて励磁されるようになっている。励磁信号１〜４の信号線により第１相〜第４相の各励磁相を所定の順序（例えば、遮蔽部材動作モータ５７ａの回転方向に沿って、第４相及び第１相、第１相、第１相及び第２相、第２相、第２相及び第３相、第３相、第３相及び第４相、第４相、第４相及び第１相・・・の順序等）で励磁することで、遮蔽部材動作モータ５７ａを所定態様で駆動させるようになっている。
【００７０】
尚、全ての励磁相（第１相〜第４相）に対して同じタイミングで励磁するように励磁信号１〜４が入力される場合には、遮蔽部材動作モータ５７ａは、全相励磁されることで回転せずに停止した状態で維持されるが、当該信号が入力されている期間にわたり、各励磁相に電源ＶＤＬから電流が流れ続けることとなる。
【００７１】
また、パラレル制御信号３〜６の各信号線は、プルアップ抵抗２を介して電源線ＶＣＣと接続される。これにより、電源ＶＣＣが供給されている場合に、パラレル制御信号３〜６の各信号線は、上述のパラレル制御信号１、２と同様に所定電圧にプルアップされるようになっている。
【００７２】
また、シリアル制御信号２の信号線及びクロック信号２の信号線は、ノイズ除去回路２を介して電源線ＶＣＣに接続される。ノイズ除去回路２は、上述のノイズ除去回路１と同様の構成であり、遮蔽ユニット制御基板５７ｄに正常に電源ＶＣＣが供給されている場合に、ノイズ除去回路２では、シリアル制御信号２の信号線及びクロック信号２の信号線の電圧が電源線ＶＣＣ側の電圧よりも高まるようなノイズが生じたときに、シリアル制御信号２の信号線及びクロック信号２の信号線から電源線ＶＣＣ側に電流が流れることで、シリアル制御信号２の信号線及びクロック信号２の信号線に生じたノイズが電源ＶＣＣ側に放出されて除去されるようになっている。
【００７３】
このように、本実施例の遮蔽ユニット制御基板５７ｄでは、当該遮蔽ユニット制御基板５７ｄに接続される前に電源線ＶＣＣから分岐された電源線ＶＣＣ１、ＶＣＣ２が、コネクタ５７ｅにおける異なる端子にそれぞれ接続されている。すなわち、シリアル／パラレル変換回路１等を作動させるための電源線ＶＣＣが、２本の配線及びコネクタ５７ｅの２つの端子を用いて遮蔽ユニット制御基板５７ｄに接続されるようになっている。
【００７４】
コネクタ５７ｅは複数の端子を備え、一端側の端子群には、シリアル制御信号１等の信号線が接続され、他端側の端子群には、電源線ＶＣＣ１、ＶＣＣ２等の電源線が接続されており、電源線が接続されている端子群のうちの一端側の端子に電源線ＶＣＣ１が接続され、他端側の端子に電源線ＶＣＣ２が接続されている。
【００７５】
コネクタ５７ｅを介して接続された電源線ＶＣＣ１、２は、遮蔽ユニット制御基板５７ｄ上で電源線ＶＣＣに統合され、統合された電源線ＶＣＣには、発光ダイオード５７ｆが接続されており、遮蔽ユニット制御基板５７ｄに電源ＶＣＣが供給されており、コネクタ５７ｅ側からシリアル／パラレル変換回路１等の各回路側へ電流が流れる場合に、当該発光ダイオード５７ｆが発光して、電源ＶＣＣが供給されている旨が認識できるようになっている。
【００７６】
遮蔽ユニット制御基板５７ｄでは、コネクタ５７ｅを介して接続された電源線ＶＣＣが、シリアル／パラレル変換回路１、２、ノイズ除去回路１、２、プルアップ抵抗１、２等の各回路や素子に接続されており、電源線ＶＣＣにより所定電源（５Ｖ）が供給されることで、これらシリアル／パラレル変換回路１等の回路が正常に機能を発揮できる状態となり、サブ制御部９１から遮蔽ユニット制御基板５７ｄに対して出力されたシリアル制御信号１、２に基づいて、当該遮蔽ユニット制御基板５７ｄに接続されている遮蔽部材動作モータ５７ａ、左側ＬＥＤ５７ｂ、右側ＬＥＤ５７ｃを作動させることができるようになっている。
【００７７】
尚、遮蔽ユニット制御基板５７ｄのノイズ除去回路１には、シリアル制御信号１やクロック信号１の信号線、電源ＶＣＣの配線が接続されており、該ノイズ除去回路１を介して、制御信号の信号線が電源ＶＣＣの配線と接続されている。また、各信号線には、演出制御基板９０から供給される電圧でシリアル制御信号１やクロック信号１が入力されるようになっており、ノイズ除去回路１の制御信号側には、演出制御基板９０からの該信号の出力状態に応じた電圧が供給されることとなる。すなわち、ノイズ除去回路１の該の制御信号側には、シリアル制御信号２により、信号が送信されているときには、所定のＨｉｇｈ電圧となり、信号が送信されていないときには、所定のＬｏｗ電圧となるように変化する電圧、及び、シリアル制御信号２により、信号が送信されているか否かにかかわらず、所定周期で所定のＨｉｇｈ電圧と所定のＬｏｗ電圧の範囲で変化する電圧が印加されることとなる。そして、ノイズ除去回路１に電源ＶＣＣが正常に供給されていない場合に、シリアル制御信号１やクロック信号１の入力に伴いノイズ除去回路１に印加される電圧は、ノイズ除去回路１内のキャパシタンス成分やインダクタンス成分により平準化されることでほぼ一定の電圧で、ノイズ除去回路１の電源ＶＣＣの配線側に出力されることとなる。このような場合には、プルアップ抵抗を介して電源ＶＣＣの配線に接続されているパラレル制御信号１、２の各信号に意図しない電圧が印加されてしまうこととなる。
【００７８】
また、遮蔽ユニット制御基板５７ｄのノイズ除去回路２には、シリアル制御信号２やクロック信号２の信号線、電源ＶＣＣの配線が接続されており、該ノイズ除去回路２を介して、制御信号の信号線が電源ＶＣＣの配線と接続されている。また、各信号線には、演出制御基板９０から供給される電圧でシリアル制御信号２やクロック信号２が入力されるようになっており、ノイズ除去回路２の制御信号側には、演出制御基板９０からの該信号の出力状態に応じた電圧が供給されることとなる。すなわち、ノイズ除去回路２の該の制御信号側には、シリアル制御信号２により、信号が送信されているときには、所定のＨｉｇｈ電圧となり、信号が送信されていないときには、所定のＬｏｗ電圧となるように変化する電圧、及び、シリアル制御信号２により、信号が送信されているか否かにかかわらず、所定周期で所定のＨｉｇｈ電圧と所定のＬｏｗ電圧の範囲で変化する電圧が印加されることとなる。そして、ノイズ除去回路２に電源ＶＣＣが正常に供給されていない場合に、シリアル制御信号２やクロック信号２の入力に伴いノイズ除去回路２に印加される電圧は、ノイズ除去回路２内のキャパシタンス成分やインダクタンス成分により平準化されることでほぼ一定の電圧で、ノイズ除去回路１の電源ＶＣＣの配線側に出力されることとなる。このような場合には、プルアップ抵抗を介して電源ＶＣＣの配線に接続されているパラレル制御信号３〜６の各信号に意図しない電圧が印加されてしまうこととなる。
【００７９】
そして、シリアル制御信号２やクロック信号２の入力に伴いノイズ除去回路１、２から電源ＶＣＣの配線側に出力される電圧が、十分に高い電圧（ＬＥＤ駆動回路１、２やモータ駆動回路１〜４においてパラレル制御信号１〜６が入力されているＯＮ状態と判定する電圧の閾値以上の電圧）である場合には、シリアル／パラレル変換回路１、２によりパラレル制御信号１〜６が出力されていないにも関わらず、ノイズ除去回路１、２から出力される電圧が、パラレル制御信号１、２として作用して、左側ＬＥＤ５７ｂや右側ＬＥＤ５７ｃを点灯させるようにＬＥＤ駆動回路１、２を作動させてしまうことや、パラレル制御信号３〜６として作用して、遮蔽部材動作モータ５７ａの各励磁相を同時に励磁するようにモータ駆動回路１〜４を作動させてしまう虞がある。特に、クロック信号１、２は、電圧が所定周期でＨｉｇｈ電圧となる信号であり、かつ遮蔽部材動作モータ５７ａ、左側ＬＥＤ５７ｂ、右側ＬＥＤ５７ｃを動作させるタイミングであるか否かにかかわらず、演出制御基板９０かから遮蔽ユニット制御基板５７ｄに対して継続して出力される信号であるので、当該クロック信号１、２の入力に伴いノイズ除去回路１、２から出力される電圧により、ＬＥＤ駆動回路１、２から駆動信号１、２が出力されたり、モータ駆動回路１〜４から励磁信号１〜４が出力されてしまう虞がある。すなわち遮蔽ユニット制御基板５７ｄに電源ＶＣＣが正常に供給されない場合には、遮蔽部材動作モータ５７ａ、左側ＬＥＤ５７ｂ、右側ＬＥＤ５７ｃが意図せずに動作させてしまう虞がある。
【００８０】
従来の遊技機では、制御基板から出力された制御信号を駆動信号に変換する変換回路を備え、駆動信号に基づいてＬＥＤ等の電気部品を駆動するようにした構成のものがある。このような構成では、例えば、変換回路に用いる電源を、制御信号のノイズを除去する回路や駆動信号を生成する回路にも用いられることが考えられるが、このような場合に、電源線の断線などにより電源の供給が停止すると、制御信号に重畳するクロック信号が制御信号線からノイズ除去回路を経由して駆動信号線に出力されてしまう虞があり、このような場合に、駆動信号が出力されていないにも関わらず、電気部品が作動してしまうこととなる。
【００８１】
これに対して、本実施例のスロットマシン１は、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路２と、を備え、シリアル／パラレル変換回路１には、該変換回路を動作させるための電源ＶＣＣが接続されるとともに、該電源ＶＣＣは、シリアル制御信号１及びクロック信号１の信号線（第１信号線）のノイズを除去するためのノイズ除去回路１及びパラレル制御信号１、２の信号線（第２信号線）の電圧をプルアップさせるプルアップ抵抗１に接続されており、電源ＶＣＣは、２本の電源線ＶＣＣ１及びＶＣＣ２を介して供給される構成である。このような構成では、第１信号線から入力されるシリアル制御信号１及びクロック信号１をパラレル制御信号１、２に変換するシリアル／パラレル変換回路１を動作させるための電源ＶＣＣが、シリアル制御信号１及びクロック信号１の信号線（第１信号線）のノイズ除去回路１及びパラレル制御信号１、２の信号線（第２信号線）のプルアップ抵抗１に接続された構成において、電源ＶＣＣが２本の電源線ＶＣＣ１及びＶＣＣ２を介して供給されることで、電源ＶＣＣの供給が停止し難くなるため、電源ＶＣＣの供給が停止することにより、左側ＬＥＤ５７ｂ、右側ＬＥＤ５７ｃが意図せずに動作してしまうことを防止できる。
【００８２】
本実施例のスロットマシン１は、シリアル制御信号２及びクロック信号２の信号線（第１信号線）から入力されるシリアル制御信号２及びクロック信号２を、パラレル制御信号３〜６に変換して、パラレル制御信号３〜６の信号線（第２信号線）に出力するシリアル／パラレル変換回路２と、パラレル制御信号３〜６の信号線（第２信号線）から入力されるパラレル制御信号３〜６に応じて、遮蔽部材動作モータ５７ａを駆動させるモータ駆動回路１〜４と、を備え、シリアル／パラレル変換回路２には、該変換回路を動作させるための電源ＶＣＣが接続されるとともに、該電源ＶＣＣは、シリアル制御信号２及びクロック信号２の信号線（第１信号線）のノイズを除去するためのノイズ除去回路２及びパラレル制御信号３〜６の信号線（第２信号線）の電圧をプルアップさせるプルアップ抵抗２に接続されており、電源ＶＣＣは、２本の電源線ＶＣＣ１及びＶＣＣ２を介して供給される構成である。このような構成では、第１信号線から入力されるシリアル制御信号２及びクロック信号２をパラレル制御信号３〜６に変換するシリアル／パラレル変換回路２を動作させるための電源ＶＣＣが、シリアル制御信号２及びクロック信号２（第１信号線）のノイズ除去回路２及びパラレル制御信号３〜６の信号線（第２信号線）のプルアップ抵抗２に接続された構成において、電源ＶＣＣが２本の電源線ＶＣＣ１及びＶＣＣ２を介して供給されることで、電源ＶＣＣの供給が停止し難くなるため、電源ＶＣＣの供給が停止することにより、遮蔽部材動作モータ５７ａが意図せずに動作してしまうことを防止できる。
【００８３】
本実施例のスロットマシン１は、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路３と、を備えるとともに、シリアル制御信号２及びクロック信号２の信号線（第３信号線）から入力されるシリアル制御信号２及びクロック信号２を、パラレル制御信号３〜６に変換して、パラレル制御信号３〜６の信号線（第４信号線）に出力するシリアル／パラレル変換回路２と、パラレル制御信号３〜６の信号線（第４信号線）から入力されるパラレル制御信号３〜６に応じて、遮蔽部材動作モータ５７ａを駆動させるモータ駆動回路１〜４と、を備え、シリアル／パラレル変換回路１、２には、該変換回路を動作させるための電源ＶＣＣが接続されるとともに、該電源ＶＣＣは、シリアル制御信号２及びクロック信号２の信号線（第３信号線）のノイズを除去するためのノイズ除去回路２及びパラレル制御信号１、２の信号線（第２信号線）の電圧をプルアップさせるプルアップ抵抗１に接続されており、電源ＶＣＣは、２本の電源線ＶＣＣ１及びＶＣＣ２を介して供給される構成である。このような構成では、第１信号線から入力されるシリアル制御信号２及びクロック信号２をパラレル制御信号３〜６に変換するシリアル／パラレル変換回路２を動作させるための電源ＶＣＣが、シリアル制御信号２及びクロック信号２（第３信号線）のノイズ除去回路２及びパラレル制御信号１、２の信号線（第２信号線）のプルアップ抵抗１に接続された構成において、電源ＶＣＣが２本の電源線ＶＣＣ１及びＶＣＣ２を介して供給されることで、電源ＶＣＣの供給が停止し難くなるため、電源ＶＣＣの供給が停止することにより、左側ＬＥＤ５７ｂ、右側ＬＥＤ５７ｃが意図せずに動作してしまうことを防止できる。
【００８４】
本実施例のスロットマシン１は、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路３と、を備えるとともに、シリアル制御信号２及びクロック信号２の信号線（第３信号線）から入力されるシリアル制御信号２及びクロック信号２を、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１、２の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路３と、を備えるとともに、シリアル制御信号２及びクロック信号２の信号線（第３信号線）から入力されるシリアル制御信号２及びクロック信号２を、パラレル制御信号３〜６に変換して、パラレル制御信号３〜６の信号線（第４信号線）に出力するシリアル／パラレル変換回路２と、パラレル制御信号３〜６の信号線（第４信号線）から入力されるパラレル制御信号３〜６に応じて、遮蔽部材動作モータ５７ａを駆動させるモータ駆動回路１〜４と、を備え、シリアル／パラレル変換回路１、２には、該変換回路を動作させるための電源ＶＣＣが接続されるとともに、該電源ＶＣＣは、シリアル制御信号１及びクロック信号１の信号線（第１信号線）のノイズを除去するためのノイズ除去回路１及びパラレル制御信号３〜６の信号線（第４信号線）の電圧をプルアップさせるプルアップ抵抗２に接続されており、電源ＶＣＣは、２本の電源線ＶＣＣ１及びＶＣＣ２を介して供給される構成である。このような構成では、第１信号線から入力されるシリアル制御信号１及びクロック信号１をパラレル制御信号１、２に変換するシリアル／パラレル変換回路１を動作させるための電源ＶＣＣが、シリアル制御信号１及びクロック信号１（第１信号線）のノイズ除去回路１及びパラレル制御信号３〜６の信号線（第４信号線）のプルアップ抵抗２に接続された構成において、電源ＶＣＣが２本の電源線ＶＣＣ１及びＶＣＣ２を介して供給されることで、電源ＶＣＣの供給が停止し難くなるため、電源ＶＣＣの供給が停止することにより、遮蔽部材動作モータ５７ａが意図せずに動作してしまうことを防止できる。
【００８５】
尚、本実施例では、シリアル制御信号及びクロック信号をパラレル制御信号に変換して出力するシリアル／パラレル変換回路と、パラレル制御信号に応じて、電気部品（遮蔽部材動作モータ５７ａ、左側ＬＥＤ５７ｂ、右側ＬＥＤ５７ｃ）を駆動する駆動回路を備える構成であるが、駆動回路が駆動する電気部品として遮蔽部材動作モータ５７ａ、左側ＬＥＤ５７ｂ、右側ＬＥＤ５７ｃ以外の電気部品、例えば、振動モータ等を適用する構成でも良い。
【００８６】
また、本実施例では、遮蔽ユニット制御基板５７ｄにおいて、電源ＶＣＣは、２本の電源線ＶＣＣ１及びＶＣＣ２を介して供給される構成であるが、電源ＶＣＣが３本以上の複数の電源線を介して供給される構成でも良い。
【００８７】
また、本実施例では、サブ制御部９１が送信するシリアル制御信号及びクロック信号を所定の電気部品を動作させるためのパラレル制御信号に変換するシリアル／パラレル変換回路１、２を搭載した遮蔽ユニット制御基板５７ｄにおいて、当該シリアル／パラレル変換回路１、２を作動させるための電源ＶＣＣを、２本の電源線ＶＣＣ１及びＶＣＣ２を介して供給する構成であるが、メイン制御部４１が送信するシリアル制御信号及びクロック信号をパラレル制御信号に変換するシリアル／パラレル変換回路を搭載した制御基板において、当該シリアル／パラレル変換回路を作動させるための電源ＶＣＣを、複数の電源線を介して供給する構成でも良く、このような構成でも、電源ＶＣＣが複数の電源線を介して供給されることで、電源ＶＣＣの供給が停止し難くなるため、電源ＶＣＣの供給が停止することにより、所定の電気部品が意図せずに動作してしまうことを防止できる。
【００８８】
本実施例のスロットマシン１は、シリアル／パラレル変換回路２、モータ駆動回路１〜４等の回路が搭載されている遮蔽ユニット制御基板５７ｄにコネクタ５７ｅを介して電源ＶＣＣを供給する構成であるとともに、電源ＶＣＣの電源線は、遮蔽ユニット制御基板５７ｄに接続される前に、電源線ＶＣＣ１及びＶＣＣ２に分岐され、該コネクタ５７ｅにおいて電源ＶＣＣを含む電源が供給される複数の端子のうち一端側の端子に電源線ＶＣＣ１が接続され、他端側の端子に電源線ＶＣＣ２が接続されることで、該コネクタ５７ｅにおいて電源が供給される複数の端子のうち一端側の端子と他端側の端子が電源ＶＣＣの供給に用いられる構成である。このような構成では、コネクタ５７ｅに接続される所定のコネクタが抜けかけていても電源ＶＣＣの供給が停止し難くなる。
【００８９】
本実施例のスロットマシン１は、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路２と、を備え、シリアル／パラレル変換回路１には、該変換回路を動作させるための電源ＶＣＣが接続されるとともに、該電源ＶＣＣは、シリアル制御信号１及びクロック信号１の信号線（第１信号線）のノイズを除去するためのノイズ除去回路１及びパラレル制御信号１、２の信号線（第２信号線）の電圧をプルアップさせるプルアップ抵抗１に接続されており、電源ＶＣＣの電源線には、発光ダイオード５７ｆが接続されていることで、電源ＶＣＣの供給の有無を確認可能な構成である。このような構成では、シリアル／パラレル変換回路１を動作させるための電源ＶＣＣが、第１信号線のノイズ除去回路１及び第２信号線のプルアップ抵抗１に接続された構成において、電源ＶＣＣの供給の有無が確認でき、電源ＶＣＣの供給が停止したことを認識させることができるため、左側ＬＥＤ５７ｂ、右側ＬＥＤ５７ｃが意図せずに動作してしまうことを防止できる。
【００９０】
本実施例のスロットマシン１は、シリアル制御信号２及びクロック信号２の信号線（第１信号線）から入力されるシリアル制御信号２及びクロック信号２を、パラレル制御信号３〜６に変換して、パラレル制御信号３〜６の信号線（第２信号線）に出力するシリアル／パラレル変換回路２と、パラレル制御信号３〜６の信号線（第２信号線）から入力されるパラレル制御信号３〜６に応じて、遮蔽部材動作モータ５７ａを駆動させるモータ駆動回路１〜４と、を備え、シリアル／パラレル変換回路２には、該変換回路を動作させるための電源ＶＣＣが接続されるとともに、該電源ＶＣＣは、シリアル制御信号２及びクロック信号２の信号線（第１信号線）のノイズを除去するためのノイズ除去回路２及びパラレル制御信号３〜６の信号線（第２信号線）の電圧をプルアップさせるプルアップ抵抗２に接続されており、電源ＶＣＣの電源線には、発光ダイオード５７ｆが接続されていることで、電源ＶＣＣの供給の有無を確認可能な構成である。このような構成では、シリアル／パラレル変換回路２を動作させるための電源ＶＣＣが、第１信号線のノイズ除去回路２及び第２信号線のプルアップ抵抗２に接続された構成において、電源ＶＣＣの供給の有無が確認でき、電源ＶＣＣの供給が停止したことを認識させることができるため、遮蔽部材動作モータ５７ａが意図せずに動作してしまうことを防止できる。
【００９１】
本実施例のスロットマシン１は、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路３と、を備えるとともに、シリアル制御信号２及びクロック信号２の信号線（第３信号線）から入力されるシリアル制御信号２及びクロック信号２を、パラレル制御信号３〜６に変換して、パラレル制御信号３〜６の信号線（第４信号線）に出力するシリアル／パラレル変換回路２と、パラレル制御信号３〜６の信号線（第４信号線）から入力されるパラレル制御信号３〜６に応じて、遮蔽部材動作モータ５７ａを駆動させるモータ駆動回路１〜４と、を備え、シリアル／パラレル変換回路１、２には、該変換回路を動作させるための電源ＶＣＣが接続されるとともに、該電源ＶＣＣは、シリアル制御信号２及びクロック信号２の信号線（第３信号線）のノイズを除去するためのノイズ除去回路２及びパラレル制御信号１、２の信号線（第２信号線）の電圧をプルアップさせるプルアップ抵抗１に接続されており、電源ＶＣＣの電源線には、発光ダイオード５７ｆが接続されていることで、電源ＶＣＣの供給の有無を確認可能な構成である。このような構成では、第３信号線から入力されるシリアル制御信号２及びクロック信号２をパラレル制御信号３〜６に変換するシリアル／パラレル変換回路２を動作させるための電源ＶＣＣが、シリアル制御信号２及びクロック信号２の信号線（第３信号線）のノイズ除去回路２及びパラレル制御信号１、２の信号線（第２信号線）のプルアップ抵抗１に接続された構成において、電源ＶＣＣの電源線には、発光ダイオード５７ｆが接続されていることで、電源ＶＣＣの供給の有無が確認でき、電源ＶＣＣの供給が停止したことを認識させることができるため、左側ＬＥＤ５７ｂ、右側ＬＥＤ５７ｃが意図せずに動作してしまうことを防止できる。
【００９２】
本実施例のスロットマシン１は、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路３と、を備えるとともに、シリアル制御信号２及びクロック信号２の信号線（第３信号線）から入力されるシリアル制御信号２及びクロック信号２を、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１、２の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路３と、を備えるとともに、シリアル制御信号２及びクロック信号２の信号線（第３信号線）から入力されるシリアル制御信号２及びクロック信号２を、パラレル制御信号３〜６に変換して、パラレル制御信号３〜６の信号線（第４信号線）に出力するシリアル／パラレル変換回路２と、パラレル制御信号３〜６の信号線（第４信号線）から入力されるパラレル制御信号３〜６に応じて、遮蔽部材動作モータ５７ａを駆動させるモータ駆動回路１〜４と、を備え、シリアル／パラレル変換回路１、２には、該変換回路を動作させるための電源ＶＣＣが接続されるとともに、該電源ＶＣＣは、シリアル制御信号１及びクロック信号１の信号線（第１信号線）のノイズを除去するためのノイズ除去回路１及びパラレル制御信号３〜６の信号線（第４信号線）の電圧をプルアップさせるプルアップ抵抗２に接続されており、電源ＶＣＣの電源線には、発光ダイオード５７ｆが接続されていることで、電源ＶＣＣの供給の有無を確認可能な構成である。このような構成では、第１信号線から入力されるシリアル制御信号１及びクロック信号１をパラレル制御信号１、２に変換するシリアル／パラレル変換回路１を動作させるための電源ＶＣＣが、シリアル制御信号１及びクロック信号１（第１信号線）のノイズ除去回路１及びパラレル制御信号３〜６の信号線（第４信号線）のプルアップ抵抗２に接続された構成において、電源ＶＣＣの電源線には、発光ダイオード５７ｆが接続されていることで、電源ＶＣＣの供給の有無が確認でき、電源ＶＣＣの供給が停止したことを認識させることができるため、遮蔽部材動作モータ５７ａが意図せずに動作してしまうことを防止できる。
【００９３】
尚、本実施例では、遮蔽ユニット制御基板５７ｄにおいて、電源ＶＣＣが２本の電源線ＶＣＣ１及びＶＣＣ２を介して供給され、かつ電源ＶＣＣの電源線には、発光ダイオード５７ｆが接続されている構成であるが、遮蔽ユニット制御基板５７ｄに電源ＶＣＣが１本の電源線を介して供給される構成において、電源ＶＣＣの電源線に、発光ダイオード５７ｆが接続されている構成でも良い。このような構成でも、電源ＶＣＣの電源線に、発光ダイオード５７ｆが接続されていることで、電源ＶＣＣの供給の有無が確認でき、電源ＶＣＣの供給が停止したことを認識させることができるため、遮蔽部材動作モータ５７ａ、左側ＬＥＤ５７ｂ、右側ＬＥＤ５７ｃが意図せずに動作してしまうことを防止できる。
【００９４】
以上、本発明の実施例１を図面により説明してきたが、本発明はこの実施例に限定されるものではなく、本発明の主旨を逸脱しない範囲における変更や追加があっても本発明に含まれることは言うまでもない。
【００９５】
前記実施例では、本発明を遊技用価値としてメダル並びにクレジットを用いて賭数が設定されるスロットマシンに適用した例について説明したが、遊技用価値として遊技球を用いて賭数を設定するスロットマシンや、遊技用価値としてクレジットのみを使用して賭数を設定する完全クレジット式のスロットマシンに適用しても良い。遊技球を遊技用価値として用いる場合は、例えば、メダル１枚分を遊技球５個分に対応させることができ、前記実施例で賭数として３を設定する場合は、１５個の遊技球を用いて賭数を設定するものに相当する。
【００９６】
さらに、メダル及び遊技球等の複数種類の遊技用価値のうちいずれか１種類のみを用いるものに限定されるものではなく、例えば、メダル及び遊技球等の複数種類の遊技用価値を併用できるものであっても良い。すなわち、メダル及び遊技球等の複数種類の遊技用価値のいずれを用いても賭数を設定してゲームを行うことが可能であり、かつ入賞の発生によってメダル及び遊技球等の複数種類の遊技用価値のいずれをも払い出し得るスロットマシンを適用しても良い。
【００９７】
また、前記実施例及び変形例では、本発明が遊技機の一例であるスロットマシン１に適用された例が示されていたが、本発明はこれに限定されるものではなく、遊技機の他の一例であり、遊技領域に遊技球を発射することにより遊技を行うパチンコ遊技機であって、制御基板から出力された制御信号を駆動信号に変換する変換回路を備え、駆動信号に基づいてＬＥＤやステッピングモータ等の電気部品を駆動することが可能であり、変換回路に用いる電源を、制御信号のノイズを除去する回路や駆動信号を生成する回路にも用いる構成の遊技機等においても適用可能である。
【実施例２】
【００９８】
本発明が適用されたスロットマシンの実施例２について説明する。尚、本実施例のスロットマシンの構成は、前述した実施例１と同一の構成を含むため、ここでは異なる点について主に説明する。
【００９９】
実施例１では、遮蔽ユニット制御基板５７ｄにおいて、電源ＶＣＣが２本の電源線ＶＣＣ１及びＶＣＣ２を介して供給される構成であったが、本実施例２では、図６に示すように、遮蔽ユニット制御基板５７ｄに電源ＶＣＣが１本の電源線を介して供給される構成であり、シリアル／パラレル変換回路１により出力されるパラレル制御信号１、２の信号線のプルアップ抵抗１の電源ＶＣＣ側において、当該電源ＶＣＣ側からパラレル制御信号１、２の信号線側への電流の流れ込み及び電圧の印加を防止する回込防止回路１と、シリアル／パラレル変換回路２により出力されるパラレル制御信号３〜６の信号線のプルアップ抵抗２の電源ＶＣＣ側において、当該電源ＶＣＣ側からパラレル制御信号３〜６の信号線側に電流が流れることを防止する回込防止回路２と、を遮蔽ユニット制御基板５７ｄにさらに備える構成である。
【０１００】
図６に示すように、回込防止回路１は、その一端側が、プルアップ抵抗１を介してパラレル制御信号１の信号線及びパラレル制御信号２の信号線に接続され、回込防止回路１の他端側が電源線ＶＣＣの配線に接続されている。回込防止回路１は、ツェナーダイオード等を用いて構成され、電源線ＶＣＣ側からプルアップ抵抗１側に電流が流れることがないようにツェナーダイオード等を介して、電源線ＶＣＣ側とプルアップ抵抗１側が接続されるようになっている。回込防止回路１では、電源線ＶＣＣの配線側の電圧が、所定閾値（ＬＥＤ駆動回路１、２やモータ駆動回路１〜４においてパラレル制御信号１〜６が入力されているＯＮ状態と判定する電圧の閾値）を超える場合、すなわち所定電圧（電源ＶＣＣの電圧（５Ｖ））である場合には、電源ＶＣＣの電圧がプルアップ抵抗１側に印加される一方で、電源線ＶＣＣの配線側の電圧が、所定閾値（ＬＥＤ駆動回路１、２やモータ駆動回路１〜４においてパラレル制御信号１〜６が入力されているＯＮ状態と判定する電圧の閾値）以下の場合、例えば、電源線ＶＣＣの配線側に正常に電源ＶＣＣが供給されておらず、ノイズ除去回路１、２からシリアル制御信号１、２やクロック信号１、２の入力に伴う電圧が出力されるような場合に、当該電圧がプルアップ抵抗１側に印加されることがないようになっている。
【０１０１】
また、回込防止回路２は、その一端側が、プルアップ抵抗２を介してパラレル制御信号３〜６の各信号線に接続され、回込防止回路２の他端側が電源線ＶＣＣに接続されている。回込防止回路２は、回込防止回路１と同様の構成であり、ツェナーダイオード等を用いて構成され、電源ＶＣＣが供給されていない場合に、電源線ＶＣＣ側からプルアップ抵抗２側に電流が流れることがないようにツェナーダイオード等を介して、電源線ＶＣＣ側とプルアップ抵抗２側が接続されるようになっている。回込防止回路２では、回込防止回路１と同様に、電源線ＶＣＣの配線側の電圧が、所定閾値（ＬＥＤ駆動回路１、２やモータ駆動回路１〜４においてパラレル制御信号１〜６が入力されているＯＮ状態と判定する電圧の閾値）を超える場合、すなわち所定電圧（電源ＶＣＣの電圧（５Ｖ））である場合には、電源ＶＣＣの電圧がプルアップ抵抗２側に印加される一方で、電源線ＶＣＣの配線側の電圧が、所定閾値（ＬＥＤ駆動回路１、２やモータ駆動回路１〜４においてパラレル制御信号１〜６が入力されているＯＮ状態と判定する電圧の閾値）以下の場合、例えば、電源線ＶＣＣの配線側に正常に電源ＶＣＣが供給されておらず、ノイズ除去回路１、２からシリアル制御信号１、２やクロック信号１、２の入力に伴う電圧が出力されるような場合に、当該電圧がプルアップ抵抗２側に印加されることがないようになっている。
【０１０２】
このように、本実施例の遮蔽ユニット制御基板５７ｄでは、プルアップ抵抗１と電源線ＶＣＣとを回込防止回路１を介して接続することで、電源ＶＣＣが供給されていない場合に、上述のノイズ除去回路１、２から電源線ＶＣＣ側に放出された電流が、電源線ＶＣＣ側からプルアップ抵抗１側すなわちパラレル制御信号１の信号線及びパラレル制御信号２の信号線に回り込んで流れてしまうこと、シリアル制御信号１、２やクロック信号１、２の入力に伴う電圧がノイズ除去回路１、２から出力される電圧がプルアップ抵抗１側のパラレル制御信号１の信号線及びパラレル制御信号２の信号線に印加されること、を防止するようになっている。
【０１０３】
また、本実施例の遮蔽ユニット制御基板５７ｄでは、プルアップ抵抗２と電源線ＶＣＣを回込防止回路２を介して接続することで、電源ＶＣＣが供給されていない場合に、上述のノイズ除去回路１、２から電源線ＶＣＣ側に放出された電流が、電源線ＶＣＣ側からプルアップ抵抗２側すなわちパラレル制御信号３〜６の信号線に回り込んで流れてしまうこと、シリアル制御信号１、２やクロック信号１、２の入力に伴う電圧がノイズ除去回路１、２から出力される電圧がプルアップ抵抗２側のパラレル制御信号３〜４の各信号線に印加されること、を防止するようになっている。
【０１０４】
本実施例のスロットマシン１は、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路２と、を備え、シリアル／パラレル変換回路１には、該変換回路を動作させるための電源ＶＣＣが接続されるとともに、該電源ＶＣＣは、シリアル制御信号１及びクロック信号１の信号線（第１信号線）のノイズを除去するためのノイズ除去回路１及びパラレル制御信号１、２の信号線（第２信号線）の電圧をプルアップさせるプルアップ抵抗１に接続されており、ノイズ除去回路１から第２信号線へ電流が流れるのを防止可能な回込防止回路１を備える構成である。このような構成では、シリアル／パラレル変換回路１を動作させるための電源ＶＣＣが、第１信号線のノイズ除去回路１及び第２信号線のプルアップ抵抗１に接続された構成において、ノイズ除去回路１から第２信号線へ電流が流れるのを防止可能な回込防止回路１を備え、電源ＶＣＣの供給が停止しても、ノイズ除去回路１から第２信号線に電流が流れてしまうことが防止されるため、第２信号線と接続されているＬＥＤ駆動回路１、２に電流が流れ込んでしまうことがなく、左側ＬＥＤ５７ｂ、右側ＬＥＤ５７ｃが意図せずに動作してしまうことを防止できる。
【０１０５】
本実施例のスロットマシン１は、シリアル制御信号２及びクロック信号２の信号線（第１信号線）から入力されるシリアル制御信号２及びクロック信号２を、パラレル制御信号３〜６に変換して、パラレル制御信号３〜６の信号線（第２信号線）に出力するシリアル／パラレル変換回路２と、パラレル制御信号３〜６の信号線（第２信号線）から入力されるパラレル制御信号３〜６に応じて、遮蔽部材動作モータ５７ａを駆動させるモータ駆動回路１〜４と、を備え、シリアル／パラレル変換回路２には、該変換回路を動作させるための電源ＶＣＣが接続されるとともに、該電源ＶＣＣは、シリアル制御信号２及びクロック信号２の信号線（第１信号線）のノイズを除去するためのノイズ除去回路２及びパラレル制御信号３〜６の信号線（第２信号線）の電圧をプルアップさせるプルアップ抵抗２に接続されており、ノイズ除去回路２から第２信号線へ電流が流れるのを防止可能な回込防止回路２を備える構成である。このような構成では、シリアル／パラレル変換回路２を動作させるための電源ＶＣＣが、第１信号線のノイズ除去回路２及び第２信号線のプルアップ抵抗２に接続された構成において、ノイズ除去回路２から第２信号線へ電流が流れるのを防止可能な回込防止回路２を備え、電源ＶＣＣの供給が停止しても、ノイズ除去回路２から第２信号線に電流が流れてしまうことが防止されるため、第２信号線と接続されているモータ駆動回路１〜４に電流が流れ込んでしまうことがなく、遮蔽部材動作モータ５７ａが意図せずに動作してしまうことを防止できる。
【０１０６】
本実施例のスロットマシン１は、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路３と、を備えるとともに、シリアル制御信号２及びクロック信号２の信号線（第３信号線）から入力されるシリアル制御信号２及びクロック信号２を、パラレル制御信号３〜６に変換して、パラレル制御信号３〜６の信号線（第４信号線）に出力するシリアル／パラレル変換回路２と、パラレル制御信号３〜６の信号線（第４信号線）から入力されるパラレル制御信号３〜６に応じて、遮蔽部材動作モータ５７ａを駆動させるモータ駆動回路１〜４と、を備え、シリアル／パラレル変換回路１、２には、該変換回路を動作させるための電源ＶＣＣが接続されるとともに、該電源ＶＣＣは、シリアル制御信号２及びクロック信号２の信号線（第３信号線）のノイズを除去するためのノイズ除去回路２及びパラレル制御信号１、２の信号線（第２信号線）の電圧をプルアップさせるプルアップ抵抗１に接続されており、ノイズ除去回路２から第２信号線へ電流が流れるのを防止可能な回込防止回路１を備える構成である。このような構成では、シリアル／パラレル変換回路２を動作させるための電源ＶＣＣが、第１信号線のノイズ除去回路２及び第２信号線のプルアップ抵抗１に接続された構成において、ノイズ除去回路２から第２信号線へ電流が流れるのを防止可能な回込防止回路１を備え、電源ＶＣＣの供給が停止しても、ノイズ除去回路２から第２信号線に電流が流れてしまうことが防止されるため、第２信号線と接続されているＬＥＤ駆動回路１、２に電流が流れ込んでしまうことがなく、左側ＬＥＤ５７ｂ、右側ＬＥＤ５７ｃが意図せずに動作してしまうことを防止できる。
【０１０７】
本実施例のスロットマシン１は、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路３と、を備えるとともに、シリアル制御信号２及びクロック信号２の信号線（第３信号線）から入力されるシリアル制御信号２及びクロック信号２を、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１、２の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路３と、を備えるとともに、シリアル制御信号２及びクロック信号２の信号線（第３信号線）から入力されるシリアル制御信号２及びクロック信号２を、パラレル制御信号３〜６に変換して、パラレル制御信号３〜６の信号線（第４信号線）に出力するシリアル／パラレル変換回路２と、パラレル制御信号３〜６の信号線（第４信号線）から入力されるパラレル制御信号３〜６に応じて、遮蔽部材動作モータ５７ａを駆動させるモータ駆動回路１〜４と、を備え、シリアル／パラレル変換回路１、２には、該変換回路を動作させるための電源ＶＣＣが接続されるとともに、該電源ＶＣＣは、シリアル制御信号１及びクロック信号１の信号線（第１信号線）のノイズを除去するためのノイズ除去回路１及びパラレル制御信号３〜６の信号線（第４信号線）の電圧をプルアップさせるプルアップ抵抗２に接続されており、ノイズ除去回路１から第４信号線へ電流が流れるのを防止可能な回込防止回路２を備える構成である。このような構成では、シリアル／パラレル変換回路１を動作させるための電源ＶＣＣが、第１信号線のノイズ除去回路１及び第４信号線のプルアップ抵抗２に接続された構成において、ノイズ除去回路１から第４信号線へ電流が流れるのを防止可能な回込防止回路２を備え、電源ＶＣＣの供給が停止しても、ノイズ除去回路１から第４信号線に電流が流れてしまうことが防止されるため、第４信号線と接続されているモータ駆動回路１〜４に電流が流れ込んでしまうことがなく、遮蔽部材動作モータ５７ａが意図せずに動作してしまうことを防止できる。
【０１０８】
尚、本実施例では、回込防止回路１、２は、ツェナーダイオードを用いて構成されており、電源線ＶＣＣ側とパラレル制御信号の信号線側とをツェナーダイオードを介して接続することで、電源ＶＣＣが供給されていない場合に、電源線ＶＣＣ側からパラレル制御信号の信号線側に電流が流れること、シリアル制御信号やクロック信号の入力に伴う電圧がノイズ除去回路１、２から出力される電圧がパラレル制御信号１〜６の信号線に印加されることがないようにする構成であるが、ツェナーダイオード以外の電子部品を用いて回込防止回路を構成するものでも良く、例えば、トランジスタやＦＥＴを用いて、回込防止回路の電源線ＶＣＣ側に電源ＶＣＣが供給されてない場合に、回込防止回路の電源線ＶＣＣ側からパラレル制御信号の信号線側への電流の流れや電圧の印加を遮断する構成でも良い。
【０１０９】
また、本実施例では、サブ制御部９１が送信するシリアル制御信号及びクロック信号を所定の電気部品を動作させるためのパラレル制御信号に変換するシリアル／パラレル変換回路１、２を搭載した遮蔽ユニット制御基板５７ｄにおいて、シリアル制御信号及びクロック信号の信号線のノイズ除去回路からの電流がパラレル制御信号の信号線に流れ込むのを防止可能な回込防止回路を備える構成であるが、メイン制御部４１が送信するシリアル制御信号及びクロック信号をパラレル制御信号に変換するシリアル／パラレル変換回路を搭載した制御基板において、メイン制御部４１から入力されるシリアル制御信号及びクロック信号の信号線のノイズ除去回路からの電流がパラレル制御信号の信号線に流れ込むのを防止可能な回込防止回路を備える構成でも良く、このような構成でも、シリアル／パラレル変換回路等を作動させるための電源ＶＣＣの供給が停止しても、ノイズ除去回路からパラレル制御信号の信号線に電流が流れ込んでしまうことが防止されるため、所定の電気部品が意図せずに動作してしまうことを防止できる。
【０１１０】
以上、本発明の実施例２を説明してきたが、本発明はこの実施例に限定されるものではなく、本発明の主旨を逸脱しない範囲における変更や追加があっても本発明に含まれることは言うまでもない。また、実施例１と同一もしくは類似する構成については、実施例１で説明したものと同様の効果を有するものである。また、実施例１について例示した変形例についても実施例２に適用可能である。
【実施例３】
【０１１１】
本発明が適用されたスロットマシンの実施例３について説明する。尚、本実施例のスロットマシンの構成は、前述した実施例１と同一の構成を含むため、ここでは異なる点について主に説明する。
【０１１２】
実施例１では、遮蔽ユニット制御基板５７ｄにおいて、電源ＶＣＣが２本の電源線ＶＣＣ１及びＶＣＣ２を介して供給される構成であったが、本実施例３では、図７に示すように、遮蔽ユニット制御基板５７ｄに電源ＶＣＣが１本の電源線を介して供給される構成であり、電源ＶＣＣが供給されていない場合に、ＬＥＤ駆動回路１に電源線ＶＣＣ側から電流が流れ込むことを防止する回込防止回路１と、電源ＶＣＣが供給されていない場合に、ＬＥＤ駆動回路２に電源線ＶＣＣ側からの電流の流れ込み及び電圧の印加を防止する回込防止回路２と、を遮蔽ユニット制御基板５７ｄにさらに備えるとともに、電源ＶＣＣが供給されていない場合に、モータ駆動回路１に電源線ＶＣＣ側から電流が流れ込むことを防止する回込防止回路３と、電源ＶＣＣが供給されていない場合に、モータ駆動回路２に電源線ＶＣＣ側から電流が流れ込むことを防止する回込防止回路４と、電源ＶＣＣが供給されていない場合に、モータ駆動回路３に電源線ＶＣＣ側から電流が流れ込むことを防止する回込防止回路５と、電源ＶＣＣが供給されていない場合に、モータ駆動回路４に電源線ＶＣＣ側からの電流の流れ込み及び電圧の印加を防止する回込防止回路６と、を遮蔽ユニット制御基板５７ｄにさらに備える構成である。
【０１１３】
図７に示すように、回込防止回路１は、パラレル制御信号１の信号線上に配置されており、回込防止回路１の一端側がプルアップ抵抗１を介して電源線ＶＣＣに接続され、回込防止回路１の他端側が当該信号線を介してＬＥＤ駆動回路１に接続されている。回込防止回路１は、ツェナーダイオードを用いて構成されており、電源ＶＣＣが供給されていない場合に、電源線ＶＣＣ側からＬＥＤ駆動回路１側に電流が流れることがないようにツェナーダイオードを介して、電源線ＶＣＣ側とＬＥＤ駆動回路１側が接続されるようになっている。回込防止回路１では、シリアル／パラレル変換回路１側のパラレル制御信号１の信号線の電圧が、所定閾値（ＬＥＤ駆動回路１においてパラレル制御信号１が入力されているＯＮ状態と判定する電圧の閾値）を超える場合、すなわちシリアル／パラレル変換回路１から正常な電圧でパラレル制御信号１が出力されている場合には、当該制御信号の電圧がＬＥＤ駆動回路１側に印加されて、パラレル制御信号１が伝達される一方で、シリアル／パラレル変換回路１側のパラレル制御信号１の信号線の電圧が、所定閾値（ＬＥＤ駆動回路１においてパラレル制御信号１が入力されているＯＮ状態と判定する電圧の閾値）以下の場合、例えば、電源線ＶＣＣの配線側に正常に電源ＶＣＣが供給されておらず、シリアル／パラレル変換回路１からパラレル制御信号１が正常に出力されておらず、ノイズ除去回路１、２からシリアル制御信号１、２やクロック信号１、２の入力に伴う電圧が出力されるような場合に、当該電圧がＬＥＤ駆動回路１側に印加されることがないようになっている。
【０１１４】
回込防止回路２は、パラレル制御信号２の信号線上に配置されており、回込防止回路２の一端側がプルアップ抵抗１を介して電源線ＶＣＣに接続され、回込防止回路２の他端側が当該信号線を介してＬＥＤ駆動回路２に接続されている。回込防止回路２は、回込防止回路１と同様の構成であり、電源ＶＣＣが供給されていない場合に、電源線ＶＣＣ側からＬＥＤ駆動回路２側に電流が流れることがないようにツェナーダイオードを介して、電源線ＶＣＣ側とＬＥＤ駆動回路２側が接続されるようになっている。回込防止回路２では、回込防止回路１と同様に、シリアル／パラレル変換回路１から正常な電圧でパラレル制御信号２が出力されている場合には、当該制御信号の電圧がＬＥＤ駆動回路１側にパラレル制御信号１が伝達される一方で、電源線ＶＣＣの配線側に正常に電源ＶＣＣが供給されていない場合には、ノイズ除去回路１、２からシリアル制御信号１、２やクロック信号１、２の入力に伴う電圧がＬＥＤ駆動回路１側に電圧印加されることがないようになっている。
【０１１５】
回込防止回路３は、パラレル制御信号３の信号線上に配置されており、回込防止回路３の一端側がプルアップ抵抗２を介して電源線ＶＣＣに接続され、回込防止回路３の他端側が当該信号線を介してモータ駆動回路１に接続されている。回込防止回路３は、回込防止回路１と同様の構成であり、電源ＶＣＣが供給されていない場合に、電源線ＶＣＣ側からモータ駆動回路１側に電流が流れることがないようにツェナーダイオードを介して、電源線ＶＣＣ側とモータ駆動回路１側が接続されるようになっている。回込防止回路３では、回込防止回路１と同様に、シリアル／パラレル変換回路２から正常な電圧でパラレル制御信号３が出力されている場合には、当該制御信号の電圧がモータ駆動回路１側にパラレル制御信号３が伝達される一方で、電源線ＶＣＣの配線側に正常に電源ＶＣＣが供給されていない場合には、ノイズ除去回路１、２からシリアル制御信号１、２やクロック信号１、２の入力に伴う電圧がモータ駆動回路１側に電圧印加されることがないようになっている。以下、回込防止回路４〜６についても、回込防止回路３と同様である。
【０１１６】
回込防止回路４〜６は、パラレル制御信号４〜６の各信号線上に配置されており、回込防止回路４〜６の一端側がプルアップ抵抗２を介して電源線ＶＣＣに接続され、回込防止回路４〜６の他端側が当該信号線を介してモータ駆動回路２〜４に接続されている。回込防止回路４〜６は、回込防止回路１と同様の構成であり、電源ＶＣＣが供給されていない場合に、電源線ＶＣＣ側からモータ駆動回路２〜４側に電流が流れることがないようにツェナーダイオードを介して、電源線ＶＣＣ側とモータ駆動回路２〜４側が接続されるようになっている。
【０１１７】
このように、本実施例の遮蔽ユニット制御基板５７ｄでは、パラレル制御信号１〜６とプルアップ抵抗１、２の接続点とＬＥＤ駆動回路１、２、モータ駆動回路１〜４との間に回込防止回路１〜６をそれぞれ設けることで、電源ＶＣＣが供給されていない場合に、上述のノイズ除去回路１、２から電源線ＶＣＣ側に放出された電流や電圧が、ＬＥＤ駆動回路１、２、モータ駆動回路１〜４に回り込むことを防止するようになっている。
【０１１８】
本実施例のスロットマシン１は、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路２と、を備え、シリアル／パラレル変換回路１には、該変換回路を動作させるための電源ＶＣＣが接続されるとともに、該電源ＶＣＣは、シリアル制御信号１及びクロック信号１の信号線（第１信号線）のノイズを除去するためのノイズ除去回路１及びパラレル制御信号１、２の信号線（第２信号線）の電圧をプルアップさせるプルアップ抵抗１に接続されており、ノイズ除去回路１からの電流がＬＥＤ駆動回路１、２に流れるのを防止可能な回込防止回路１、２を備える構成である。このような構成では、第１信号線から入力されるシリアル制御信号１及びクロック信号１をパラレル制御信号１、２に変換するシリアル／パラレル変換回路１を動作させるための電源ＶＣＣが、シリアル制御信号１及びクロック信号１の信号線（第１信号線）のノイズ除去回路１及びパラレル制御信号１、２の信号線（第２信号線）のプルアップ抵抗１に接続された構成において、ノイズ除去回路１からの電流がＬＥＤ駆動回路１、２に流れるのを防止可能な回込防止回路１、２を備え、電源ＶＣＣの供給が停止しても、ノイズ除去回路１からＬＥＤ駆動回路１、２に電流が流れ込んでしまうことが防止されるため、左側ＬＥＤ５７ｂ、右側ＬＥＤ５７ｃが意図せずに動作してしまうことを防止できる。
【０１１９】
本実施例のスロットマシン１は、シリアル制御信号２及びクロック信号２の信号線（第１信号線）から入力されるシリアル制御信号２及びクロック信号２を、パラレル制御信号３〜６に変換して、パラレル制御信号３〜６の信号線（第２信号線）に出力するシリアル／パラレル変換回路２と、パラレル制御信号３〜６の信号線（第２信号線）から入力されるパラレル制御信号３〜６に応じて、遮蔽部材動作モータ５７ａを駆動させるモータ駆動回路１〜４と、を備え、シリアル／パラレル変換回路２には、該変換回路を動作させるための電源ＶＣＣが接続されるとともに、該電源ＶＣＣは、シリアル制御信号２及びクロック信号２の信号線（第１信号線）のノイズを除去するためのノイズ除去回路２及びパラレル制御信号３〜６の信号線（第２信号線）の電圧をプルアップさせるプルアップ抵抗２に接続されており、ノイズ除去回路２からの電流がモータ駆動回路１〜４に流れるのを防止可能な回込防止回路３〜６を備える構成である。このような構成では、第１信号線から入力されるシリアル制御信号２及びクロック信号２をパラレル制御信号３〜６に変換するシリアル／パラレル変換回路２を動作させるための電源ＶＣＣが、シリアル制御信号２及びクロック信号２（第１信号線）のノイズ除去回路２及びパラレル制御信号３〜６の信号線（第２信号線）のプルアップ抵抗２に接続された構成において、ノイズ除去回路２からの電流がモータ駆動回路１〜４に流れるのを防止可能な回込防止回路３〜６を備え、電源ＶＣＣの供給が停止しても、ノイズ除去回路２からモータ駆動回路１〜４に電流が流れ込んでしまうことが防止されるため、遮蔽部材動作モータ５７ａが意図せずに動作してしまうことを防止できる。
【０１２０】
本実施例のスロットマシン１は、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路３と、を備えるとともに、シリアル制御信号２及びクロック信号２の信号線（第３信号線）から入力されるシリアル制御信号２及びクロック信号２を、パラレル制御信号３〜６に変換して、パラレル制御信号３〜６の信号線（第４信号線）に出力するシリアル／パラレル変換回路２と、パラレル制御信号３〜６の信号線（第４信号線）から入力されるパラレル制御信号３〜６に応じて、遮蔽部材動作モータ５７ａを駆動させるモータ駆動回路１〜４と、を備え、シリアル／パラレル変換回路１、２には、該変換回路を動作させるための電源ＶＣＣが接続されるとともに、該電源ＶＣＣは、シリアル制御信号２及びクロック信号２の信号線（第３信号線）のノイズを除去するためのノイズ除去回路２及びパラレル制御信号１、２の信号線（第２信号線）の電圧をプルアップさせるプルアップ抵抗１に接続されており、ノイズ除去回路２からの電流がＬＥＤ駆動回路１、２に流れるのを防止可能な回込防止回路１、２を備える構成である。このような構成では、第１信号線から入力されるシリアル制御信号２及びクロック信号２をパラレル制御信号３〜６に変換するシリアル／パラレル変換回路２を動作させるための電源ＶＣＣが、シリアル制御信号２及びクロック信号２（第３信号線）のノイズ除去回路２及びパラレル制御信号１、２の信号線（第２信号線）のプルアップ抵抗１に接続された構成において、ノイズ除去回路２からの電流がＬＥＤ駆動回路１、２に流れるのを防止可能な回込防止回路１、２を備え、電源ＶＣＣの供給が停止しても、ノイズ除去回路２からＬＥＤ駆動回路１、２に電流が流れ込んでしまうことが防止されるため、左側ＬＥＤ５７ｂ、右側ＬＥＤ５７ｃが意図せずに動作してしまうことを防止できる。
【０１２１】
本実施例のスロットマシン１は、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路３と、を備えるとともに、シリアル制御信号２及びクロック信号２の信号線（第３信号線）から入力されるシリアル制御信号２及びクロック信号２を、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１、２の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路３と、を備えるとともに、シリアル制御信号２及びクロック信号２の信号線（第３信号線）から入力されるシリアル制御信号２及びクロック信号２を、パラレル制御信号３〜６に変換して、パラレル制御信号３〜６の信号線（第４信号線）に出力するシリアル／パラレル変換回路２と、パラレル制御信号３〜６の信号線（第４信号線）から入力されるパラレル制御信号３〜６に応じて、遮蔽部材動作モータ５７ａを駆動させるモータ駆動回路１〜４と、を備え、シリアル／パラレル変換回路１、２には、該変換回路を動作させるための電源ＶＣＣが接続されるとともに、該電源ＶＣＣは、シリアル制御信号１及びクロック信号１の信号線（第１信号線）のノイズを除去するためのノイズ除去回路１及びパラレル制御信号３〜６の信号線（第４信号線）の電圧をプルアップさせるプルアップ抵抗２に接続されており、ノイズ除去回路１からの電流がモータ駆動回路１〜４に流れるのを防止可能な回込防止回路３〜６を備える構成である。このような構成では、第１信号線から入力されるシリアル制御信号１及びクロック信号１をパラレル制御信号１、２に変換するシリアル／パラレル変換回路１を動作させるための電源ＶＣＣが、シリアル制御信号１及びクロック信号１（第１信号線）のノイズ除去回路１及びパラレル制御信号３〜６の信号線（第４信号線）のプルアップ抵抗２に接続された構成において、ノイズ除去回路１からの電流がモータ駆動回路１〜４に流れるのを防止可能な回込防止回路３〜６を備え、電源ＶＣＣの供給が停止しても、ノイズ除去回路１からモータ駆動回路１〜４に電流が流れ込んでしまうことが防止されるため、遮蔽部材動作モータ５７ａが意図せずに動作してしまうことを防止できる。
【０１２２】
尚、本実施例では、回込防止回路１〜６は、ツェナーダイオードを用いて構成されており、電源ＶＣＣが供給されていない場合に、パラレル制御信号の信号線側からＬＥＤ駆動回路１、２、モータ駆動回路１〜４に電流が流れることがないようにする構成であるが、ツェナーダイオード以外の電子部品を用いて回込防止回路を構成するものでも良く、例えば、トランジスタやＦＥＴを用いて、プルアップ抵抗１、２の電源線ＶＣＣ側に電源ＶＣＣが供給されていない場合に、パラレル制御信号の信号線側からＬＥＤ駆動回路１、２、モータ駆動回路１〜４側への電流の流れを遮断する構成でも良い。
【０１２３】
また、本実施例では、サブ制御部９１が送信するシリアル制御信号及びクロック信号をパラレル制御信号に変換するシリアル／パラレル変換回路１、２を搭載した遮蔽ユニット制御基板５７ｄにおいて、シリアル制御信号及びクロック信号の信号線のノイズ除去回路１〜６からの電流が所定の電気部品の駆動回路に流れ込むのを防止可能な回込防止回路を備える構成であるが、メイン制御部４１が送信するシリアル制御信号及びクロック信号をパラレル制御信号に変換するシリアル／パラレル変換回路を搭載した制御基板において、メイン制御部４１から入力されるシリアル制御信号及びクロック信号の信号線のノイズ除去回路からの電流が所定の電気部品の駆動回路に流れ込むのを防止可能な回込防止回路を備える構成でも良く、このような構成でも、シリアル／パラレル変換回路等を作動させるための電源ＶＣＣの供給が停止しても、ノイズ除去回路から駆動回路に電流が流れ込んでしまうことが防止されるため、所定の電気部品が意図せずに動作してしまうことを防止できる。
【０１２４】
以上、本発明の実施例３を説明してきたが、本発明はこの実施例に限定されるものではなく、本発明の主旨を逸脱しない範囲における変更や追加があっても本発明に含まれることは言うまでもない。また、実施例１と同一もしくは類似する構成については、実施例１で説明したものと同様の効果を有するものである。また、実施例１について例示した変形例についても実施例３に適用可能である。
【実施例４】
【０１２５】
本発明が適用されたスロットマシンの実施例４について説明する。尚、本実施例のスロットマシンの構成は、前述した実施例１と同一の構成を含むため、ここでは異なる点について主に説明する。
【０１２６】
実施例１では、遮蔽ユニット制御基板５７ｄのコネクタ５７ｅに電源線ＶＣＣ１及びＶＣＣ２（５Ｖ）、電源線ＶＤＬ（１２Ｖ）を含む電源線が接続されており、当該コネクタ５７ｅを介して、当該遮蔽ユニット制御基板５７ｄの各種回路及び素子を作動させるための電源ＶＣＣが供給されるとともに、遮蔽ユニット制御基板５７ｄに接続される電気部品（遮蔽部材動作モータ５７ａ、左側ＬＥＤ５７ｂ、右側ＬＥＤ５７ｃ）を動作させるための電源ＶＤＬが供給される構成であったが、本実施例４では、コネクタ５７ｅを介して電源ＶＤＬが供給される一方で電源ＶＣＣが供給されず、遮蔽ユニット制御基板５７ｄに電源ＶＤＬ（１２Ｖ）から電源ＶＣＣ（５Ｖ）を生成する降圧回路を備えており、遮蔽ユニット制御基板５７ｄにおいて電源ＶＣＣを生成する構成である。
【０１２７】
具体的には、図８（ａ）に示すように、遮蔽ユニット制御基板５７ｄに電源ＶＤＬ（１２Ｖ）から電源ＶＣＣ（５Ｖ）を生成する降圧回路が搭載されており、コネクタ５７ｅを介して供給される電源ＶＤＬの電源線は、分岐されて一端が降圧回路に接続され、他端が、遮蔽部材動作モータ５７ａ、左側ＬＥＤ５７ｂ、右側ＬＥＤ５７ｃ（図示略）等に接続されるようになっている。そして、降圧回路では、電源ＶＤＬから電源ＶＣＣを生成し、電源ＶＣＣを遮蔽ユニット制御基板５７ｄに搭載されているシリアル／パラレル変換回路１、２等の遮蔽ユニット制御基板５７ｄ上の所定回路や素子（図示略）に供給するようになっている。
【０１２８】
このように、本実施例の遮蔽ユニット制御基板５７ｄでは、電源ＶＤＬから電源ＶＣＣを生成するための降圧回路が設けられており、コネクタ５７ｅを介して供給される電源ＶＤＬを遮蔽部材動作モータ５７ａ、左側ＬＥＤ５７ｂ、右側ＬＥＤ５７ｃに対して供給するとともに、当該電源ＶＤＬから降圧回路により電源ＶＣＣを生成して電源ＶＣＣをシリアル／パラレル変換基板１、２等の各種回路等に供給するので、シリアル／パラレル変換基板１、２等への電源ＶＣＣの供給が停止する場合には、遮蔽部材動作モータ５７ａ、左側ＬＥＤ５７ｂ、右側ＬＥＤ５７ｃへの電源ＶＤＬも停止して、遮蔽部材動作モータ５７ａ等が動作することがないようになっている。
【０１２９】
本実施例のスロットマシン１は、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路２と、を備え、シリアル／パラレル変換回路１には、該変換回路を動作させるための電源ＶＣＣが接続されるとともに、該電源ＶＣＣは、シリアル制御信号１及びクロック信号１の信号線（第１信号線）のノイズを除去するためのノイズ除去回路１及びパラレル制御信号１、２の信号線（第２信号線）の電圧をプルアップさせるプルアップ抵抗１に接続されており、電源ＶＣＣは、左側ＬＥＤ５７ｂ、右側ＬＥＤ５７ｃを駆動するための電源ＶＤＬから生成される構成である。このような構成では、第１信号線から入力されるシリアル制御信号１及びクロック信号１をパラレル制御信号１、２に変換するシリアル／パラレル変換回路１を動作させるための電源ＶＣＣが、シリアル制御信号１及びクロック信号１の信号線（第１信号線）のノイズ除去回路１及びパラレル制御信号１、２の信号線（第２信号線）のプルアップ抵抗１に接続された構成において、左側ＬＥＤ５７ｂ、右側ＬＥＤ５７ｃを駆動するための電源ＶＤＬから電源ＶＣＣが生成されるため、電源ＶＣＣの供給が停止するときは電源ＶＤＬの供給も停止するので、左側ＬＥＤ５７ｂ、右側ＬＥＤ５７ｃが意図せずに動作してしまうことを防止できる。
【０１３０】
本実施例のスロットマシン１は、シリアル制御信号２及びクロック信号２の信号線（第１信号線）から入力されるシリアル制御信号２及びクロック信号２を、パラレル制御信号３〜６に変換して、パラレル制御信号３〜６の信号線（第２信号線）に出力するシリアル／パラレル変換回路２と、パラレル制御信号３〜６の信号線（第２信号線）から入力されるパラレル制御信号３〜６に応じて、遮蔽部材動作モータ５７ａを駆動させるモータ駆動回路１〜４と、を備え、シリアル／パラレル変換回路２には、該変換回路を動作させるための電源ＶＣＣが接続されるとともに、該電源ＶＣＣは、シリアル制御信号２及びクロック信号２の信号線（第１信号線）のノイズを除去するためのノイズ除去回路２及びパラレル制御信号３〜６の信号線（第２信号線）の電圧をプルアップさせるプルアップ抵抗２に接続されており、電源ＶＣＣは、遮蔽部材動作モータ５７ａを駆動するための電源ＶＤＬから生成される構成である。このような構成では、第１信号線から入力されるシリアル制御信号２及びクロック信号２をパラレル制御信号３〜６に変換するシリアル／パラレル変換回路２を動作させるための電源ＶＣＣが、シリアル制御信号２及びクロック信号２（第１信号線）のノイズ除去回路２及びパラレル制御信号３〜６の信号線（第２信号線）のプルアップ抵抗２に接続された構成において、遮蔽部材動作モータ５７ａを駆動するための電源ＶＤＬから電源ＶＣＣが生成されるため、電源ＶＣＣの供給が停止するときは電源ＶＤＬの供給も停止するので、遮蔽部材動作モータ５７ａが意図せずに動作してしまうことを防止できる。
【０１３１】
本実施例のスロットマシン１は、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路３と、を備えるとともに、シリアル制御信号２及びクロック信号２の信号線（第３信号線）から入力されるシリアル制御信号２及びクロック信号２を、パラレル制御信号３〜６に変換して、パラレル制御信号３〜６の信号線（第４信号線）に出力するシリアル／パラレル変換回路２と、パラレル制御信号３〜６の信号線（第４信号線）から入力されるパラレル制御信号３〜６に応じて、遮蔽部材動作モータ５７ａを駆動させるモータ駆動回路１〜４と、を備え、シリアル／パラレル変換回路１、２には、該変換回路を動作させるための電源ＶＣＣが接続されるとともに、該電源ＶＣＣは、シリアル制御信号２及びクロック信号２の信号線（第３信号線）のノイズを除去するためのノイズ除去回路２及びパラレル制御信号１、２の信号線（第２信号線）の電圧をプルアップさせるプルアップ抵抗１に接続されており、電源ＶＣＣは、左側ＬＥＤ５７ｂ、右側ＬＥＤ５７ｃを駆動するための電源ＶＤＬから生成される構成である。このような構成では、第１信号線から入力されるシリアル制御信号２及びクロック信号２をパラレル制御信号３〜６に変換するシリアル／パラレル変換回路２を動作させるための電源ＶＣＣが、シリアル制御信号２及びクロック信号２（第３信号線）のノイズ除去回路２及びパラレル制御信号１、２の信号線（第２信号線）のプルアップ抵抗１に接続された構成において、左側ＬＥＤ５７ｂ、右側ＬＥＤ５７ｃを駆動するための電源ＶＤＬから電源ＶＣＣが生成されるため、電源ＶＣＣの供給が停止するときは電源ＶＤＬの供給も停止するので、左側ＬＥＤ５７ｂ、右側ＬＥＤ５７ｃが意図せずに動作してしまうことを防止できる。
【０１３２】
本実施例のスロットマシン１は、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路３と、を備えるとともに、シリアル制御信号２及びクロック信号２の信号線（第３信号線）から入力されるシリアル制御信号２及びクロック信号２を、シリアル制御信号１及びクロック信号１の信号線（第１信号線）から入力されるシリアル制御信号１及びクロック信号１を、パラレル制御信号１、２に変換して、パラレル制御信号１、２の信号線（第２信号線）にそれぞれ出力するシリアル／パラレル変換回路１と、パラレル制御信号１、２の信号線（第２信号線）から入力されるパラレル制御信号１に応じて左側ＬＥＤ５７ｂを点灯させるＬＥＤ駆動回路１と、パラレル制御信号２の信号線（第２信号線）から入力されるパラレル制御信号２に応じて右側ＬＥＤ５７ｃを点灯させるＬＥＤ駆動回路３と、を備えるとともに、シリアル制御信号２及びクロック信号２の信号線（第３信号線）から入力されるシリアル制御信号２及びクロック信号２を、パラレル制御信号３〜６に変換して、パラレル制御信号３〜６の信号線（第４信号線）に出力するシリアル／パラレル変換回路２と、パラレル制御信号３〜６の信号線（第４信号線）から入力されるパラレル制御信号３〜６に応じて、遮蔽部材動作モータ５７ａを駆動させるモータ駆動回路１〜４と、を備え、シリアル／パラレル変換回路１、２には、該変換回路を動作させるための電源ＶＣＣが接続されるとともに、該電源ＶＣＣは、シリアル制御信号１及びクロック信号１の信号線（第１信号線）のノイズを除去するためのノイズ除去回路１及びパラレル制御信号３〜６の信号線（第４信号線）の電圧をプルアップさせるプルアップ抵抗２に接続されており、電源ＶＣＣは、遮蔽部材動作モータ５７ａを駆動するための電源ＶＤＬから生成される構成である。このような構成では、第１信号線から入力されるシリアル制御信号１及びクロック信号１をパラレル制御信号１、２に変換するシリアル／パラレル変換回路１を動作させるための電源ＶＣＣが、シリアル制御信号１及びクロック信号１（第１信号線）のノイズ除去回路１及びパラレル制御信号３〜６の信号線（第４信号線）のプルアップ抵抗２に接続された構成において、遮蔽部材動作モータ５７ａを駆動するための電源ＶＤＬから電源ＶＣＣが生成されるため、電源ＶＣＣの供給が停止するときは電源ＶＤＬの供給も停止するので、遮蔽部材動作モータ５７ａが意図せずに動作してしまうことを防止できる。
【０１３３】
尚、本変形例では、遮蔽ユニット制御基板５７ｄに電源ＶＤＬから電源ＶＣＣを生成する降圧回路を備えることで、遮蔽ユニット制御基板５７ｄに電源ＶＤＬが供給されていない場合に、電源ＶＣＣの供給が停止されるとともに、遮蔽部材動作モータ５７ａ、左側ＬＥＤ５７ｂ、右側ＬＥＤ５７ｃへの電源ＶＤＬの供給が停止されるようにする構成であるが、例えば、図８（ｂ）に示すように、遮蔽ユニット制御基板５７ｄに電源ＶＣＣが供給されているときに、電源ＶＤＬが遮蔽部材動作モータ５７ａ、左側ＬＥＤ５７ｂ、右側ＬＥＤ５７ｃに供給されるように、電源ＶＣＣ及び電源ＶＤＬにＦＥＴ素子等を接続する構成としても良い。このような構成とすることで、遮蔽ユニット制御基板５７ｄに電源ＶＣＣが供給されていない場合に、遮蔽部材動作モータ５７ａ、左側ＬＥＤ５７ｂ、右側ＬＥＤ５７ｃへの電源ＶＤＬの供給を停止させて、遮蔽部材動作モータ５７ａ等が動作することがないようにすることができる。
【０１３４】
また、本実施例では、サブ制御部９１が送信するシリアル制御信号及びクロック信号を所定の電気部品を動作させるためのパラレル制御信号に変換するシリアル／パラレル変換回路１、２を搭載した遮蔽ユニット制御基板５７ｄにおいて、当該シリアル／パラレル変換回路１、２を作動させるための電源ＶＣＣを、所定の電気部品を動作させるための電源ＶＤＬから生成する降圧回路を備える構成であるが、メイン制御部４１が送信するシリアル制御信号及びクロック信号を所定の電気部品を動作させるためのパラレル制御信号に変換するシリアル／パラレル変換回路を搭載した制御基板において、当該シリアル／パラレル変換回路を作動させるための作動電源を、所定の電気部品を動作させるための動作電源から生成する電源生成回路を備える構成でも良く、このような構成でも、作動電源の供給が停止するときは動作電源の供給も停止するので、所定の電気部品が意図せずに動作してしまうことを防止できる。
【０１３５】
以上、本発明の実施例４を説明してきたが、本発明はこの実施例に限定されるものではなく、本発明の主旨を逸脱しない範囲における変更や追加があっても本発明に含まれることは言うまでもない。また、実施例１と同一もしくは類似する構成については、実施例１で説明したものと同様の効果を有するものである。また、実施例１について例示した変形例についても実施例４に適用可能である。
【符号の説明】
【０１３６】
１  スロットマシン
２Ｌ、２Ｃ、２Ｒ  リール
６  ＭＡＸＢＥＴスイッチ
７  スタートスイッチ
８Ｌ、８Ｃ、８Ｒ  ストップスイッチ
４１  メイン制御部
９１  サブ制御部
【図１】
2018175788.tif 000003
【図２】
2018175788.tif 000004
【図３】
2018175788.tif 000005
【図４】
2018175788.tif 000006
【図５】
2018175788.tif 000007
【図６】
2018175788.tif 000008
【図７】
2018175788.tif 000009
【図８】
2018175788.tif 000010